(57)【特許請求の範囲】
【請求項１】
外部機器から、複数チャネルで、差動信号により、伝送路を介して映像信号を受信する信号受信部と、
上記信号受信部で受信された映像信号を処理して画像を表示する画像表示部と、
上記伝送路の所定のラインにより構成される通信路を介して上記外部機器と通信を行う通信部と、
上記画像表示部による表示画面上の位置を指定する位置指定部と、
上記位置指定部で指定された位置の座標情報を上記通信部により上記外部機器に送信する情報送信部とを備え、
上記通信路は一対の差動伝送路であり、該一対の差動伝送路のうち少なくとも一方は直流バイアス電位によって上記外部機器の接続状態を通知する機能を有する
表示装置。
【請求項２】
上記所定のラインはＨＤＭＩケーブルを構成するリザーブラインおよびＨＰＤラインである
ことを特徴とする請求項１に記載の表示装置。
【請求項３】
上記位置指定部は、上記表示画面上に配置されたタッチパネルを用いて構成されている
ことを特徴とする請求項１に記載の表示装置。
【請求項４】
上記位置指定部は、リモートコントロールの送信機および受信機を用いて構成されている
ことを特徴とする請求項１に記載の表示装置。
【請求項５】
被写体を撮像して、該被写体に対応した映像信号を得る撮像部と、
上記撮像部で得られた映像信号を上記通信部により上記外部機器に送信する信号送信部とをさらに備える
ことを特徴とする請求項１に記載の表示装置。
【請求項６】
上記信号送信部は、上記外部機器から、上記伝送路を構成する制御データラインまたは上記通信部により、送信要求コマンドが送られてくるとき、上記撮像部で得られた映像信号を上記通信部により上記外部機器に送信する
ことを特徴とする請求項５に記載の表示装置。
【請求項７】
リモートコントロール信号を受信するリモコン受信部と、
上記リモコン受信部で受信されたリモートコントロール信号を、上記通信部により上記外部機器に送信する信号送信部とをさらに備える
ことを特徴とする請求項１に記載の表示装置。
【請求項８】
映像信号を、複数のチャネルで、差動信号により、伝送路を介して外部機器に送信する信号送信部と、
上記伝送路の所定のラインにより構成される通信路を介して上記外部機器と通信を行う通信部と、
上記信号送信部で送信する映像信号を取得する映像信号取得部と、
上記外部機器から送信されてくる画面位置の座標情報を上記通信部により受信する情報受信部と、
上記情報受信部で受信された画面位置の座標情報に基づいて、上記映像信号取得部により取得される映像信号を制御する制御部とを備え、
上記通信路は一対の差動伝送路であり、該一対の差動伝送路のうち少なくとも一方は直流バイアス電位によって上記外部機器の接続状態を通知する機能を有する
送信装置。
【請求項９】
上記所定のラインはＨＤＭＩケーブルを構成するリザーブラインおよびＨＰＤラインである
ことを特徴とする請求項８に記載の送信装置。
【請求項１０】
上記映像信号取得部は、記録メディアから映像信号を再生する映像信号再生部であり、
上記制御部は、上記画面位置の座標情報に基づいて、上記映像信号再生部の再生動作を制御する
ことを特徴とする請求項８に記載の送信装置。
【請求項１１】
上記映像信号取得部は、インターネットから画像ファイルを取得してウェブページを表示するための映像信号を生成するウェブブラウザであり、
上記制御部は、上記画面位置の座標情報に基づいて、上記ウェブページを更新するように上記ウェブブラウザを制御する
ことを特徴とする請求項８に記載の送信装置。
【請求項１２】
上記映像信号取得部で取得された映像信号をネットワークを介して他の装置に送信する信号送信部をさらに備え、
上記制御部は、上記信号送信部により他の装置に送信される映像信号に、上記画面位置の座標情報で示される画面位置にマークを表示するための表示信号を合成する
ことを特徴とする請求項８に記載の送信装置。
【請求項１３】
上記外部機器から上記通信部により受信される映像信号を、上記映像信号取得部で取得される映像信号に合成する信号処理部をさらに備える
ことを特徴とする請求項８に記載の送信装置。
【請求項１４】
上記映像信号取得部は記録メディアから映像信号を再生する映像信号再生部であり、
上記信号処理部は、上記外部機器から上記通信部により送信されてくる映像信号を、上記映像信号再生部で再生された映像信号に合成する
ことを特徴とする請求項１３に記載の送信装置。
【請求項１５】
上記映像信号取得部は、インターネットから画像ファイルを取得してウェブページを表示するための映像信号を生成するウェブブラウザであり、
上記信号処理部は、上記外部機器から上記通信部により送信されてくる映像信号を、上記ウェブブラウザで生成された映像信号に合成する
ことを特徴とする請求項１３に記載の送信装置。
【請求項１６】
上記映像信号取得部は、他の装置からネットワークを介して送信されてくる映像信号を受信する信号受信部であり、
上記信号処理部は、上記外部機器から上記通信部により送信されてくる映像信号を、上記信号受信部で受信された映像信号に合成する
ことを特徴とする請求項１３に記載の送信装置。
【請求項１７】
上記外部機器から送信されてくるリモートコントロール信号を上記通信部により受信する信号受信部と、
上記信号受信部で受信されたリモートコントロール信号に基づいて、上記映像信号取得部の動作を制御する制御部とをさらに備える
ことを特徴とする請求項８に記載の送信装置。
【請求項１８】
映像信号の種類毎に、上記通信部で受信される各リモートコントロール信号と制御内容との対応関係を示すテーブルをさらに備え、
上記制御部は、上記映像信号取得部により取得される映像信号の種類に対応した上記テーブルを用いて上記通信部により受信したリモートコントロール信号が示す制御内容を認識し、該認識した制御内容に基づいて上記映像信号取得部の動作を制御する
ことを特徴とする請求項１７に記載の送信装置。
【発明の詳細な説明】
【技術分野】
【０００１】
この発明は、表示装置および送信装置に関する。
【０００２】
詳しくは、この発明は、外部機器から伝送路を介して映像信号を受信して画像を表示する表示装置にあって、伝送路を構成する所定のラインを用いて双方向通信をする通信部により、外部機器に対して、画面位置の座標情報、撮像映像信号あるいはリモートコントロール信号を送信することにより、小型化、低価格化を図るようにした表示装置に係るものである。
【０００３】
また、この発明は、外部機器に伝送路を介して映像信号を送信する送信装置にあって、伝送路を構成する所定のラインを用いて双方向通信をする通信部により、外部機器から、画面位置の座標情報、撮像映像信号あるいはリモートコントロール信号を受信することにより、小型化、低価格化を図るようにした送信装置に係るものである。
【背景技術】
【０００４】
従来、テレビ受信機（ＴＶ）へのユーザ入力をパーソナルコンピュータ（ＰＣ）に送ってインタラクティブなシステムを構築するためには、パーソナルコンピュータからテレビ受信機に映像信号を送るためのケーブル（例えば、ＤＶＩ、ＶＧＡ等）と、パーソナルコンピュータからテレビ受信機に音声信号を送るためのケーブル(RCAケーブルやstereo miniケーブルなど)、およびテレビ受信機へのユーザ入力をパーソナルコンピュータ送るためのケーブル (例えば、USBやRS232C)等、複数のケーブを用いる必要があった。このように、複数のケーブルを使用する構成は、機器の小型化、低価格化に向かず、またユーザの利便性にとっても不利であり、小型、低価格で簡単に構成できるシステムが必要とされている。
【０００５】
また、従来、テレビ受信機、パーソナルコンピュータ等、複数の機器が個別に独自のリモコン送信機（コマンダ）を使用しており、使用する機器に合わせてリモコン送信機を使い分ける必要があり、ユーザの利便性にとって不利であり、ひとつのリモコン送信機をテレ受信機に接続された複数の周辺機器で流用できるようにして利便性を向上するシステムが必要とされている。
【０００６】
また、近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号、すなわち、非圧縮（ベースバンド）の映像信号（以下、「画像データ」という）と、その映像信号に付随するデジタル音声信号（以下、「音声データ」という）とを、高速に伝送する通信インタフェースとして、ＨＤＭＩ(High Definition Multimedia Interface)が普及しつつある。例えば、特許文献１には、ＨＤＭＩ規格の詳細についての記載がある。
【特許文献１】ＷＯ２００２／０７８３３６号公報
【発明の開示】
【発明が解決しようとする課題】
【０００７】
上述したように、例えば、テレビ受信機とパーソナルコンピュータを複数のケーブルで接続するものにあっては、機器の小型化、低価格化の妨げになっている。また、例えば、テレビ受信機、パーソナルコンピュータ等の複数の機器が個別に独自のリモコン送信機を使用するものにあっては、ユーザの利便性にとって不利である。
【０００８】
この発明の目的は、機器の小型化、低価格化を図ることにある。また、この発明の目的は、ユーザの利便性を高めることにある。
【課題を解決するための手段】
【０００９】
この発明の概念は、
外部機器から、複数チャネルで、差動信号により、伝送路を介して映像信号を受信する信号受信部と、
上記信号受信部で受信された映像信号を処理して画像を表示する画像表示部と、
上記伝送路の所定のラインにより構成される通信路を介して上記外部機器と通信を行う通信部と、
上記画像表示部による表示画面上の位置を指定する位置指定部と、
上記位置指定部で指定された位置の座標情報を上記通信部により上記外部機器に送信する情報送信部とを備え、
上記通信路は一対の差動伝送路であり、該一対の差動伝送路のうち少なくとも一方は直流バイアス電位によって上記外部機器の接続状態を通知する機能を有する
表示装置にある。
【００１０】
また、この発明の概念は、
映像信号を、複数のチャネルで、差動信号により、伝送路を介して外部機器に送信する信号送信部と、
上記伝送路の所定のラインにより構成される通信路を介して上記外部機器と通信を行う通信部と、
上記信号送信部で送信する映像信号を取得する映像信号取得部と、
上記外部機器から送信されてくる画面位置の座標情報を上記通信部により受信する情報受信部と、
上記情報受信部で受信された画面位置の座標情報に基づいて、上記映像信号取得部により取得される映像信号を制御する制御部とを備え、
上記通信路は一対の差動伝送路であり、該一対の差動伝送路のうち少なくとも一方は直流バイアス電位によって上記外部機器の接続状態を通知する機能を有する
送信装置にある。
【００１１】
表示装置においては、外部機器（送信装置）から伝送路を介して映像信号が受信されて画像が表示される。ユーザは、位置指定部により、例えば、表示画像の制御のために、表示画面上の位置（例えば、制御内容に対応したボタン表示部分）を指定できる。例えば、この位置指定部は、表示画面上に配置されたタッチパネルを用いて構成される。また、例えば、この位置指定部は、リモートコントロールの送信機および受信機を用いて構成される。
【００１２】
また、表示装置においては、伝送路の所定のラインにより構成される通信路を介して外部機器（送信装置）と通信を行う通信部が備えられている。上述の指定位置の座標情報は、この通信部により、外部機器に送信される。
【００１３】
送信装置においては、外部機器（表示装置）に、伝送路を介して映像信号が送信される。また、送信装置においては、伝送路の所定のラインにより構成される通信路を介して外部機器（表示装置）と通信を行う通信部が備えられている。そして、送信装置においては、通信部を通して受信された画面位置の座標情報に基づいて、外部機器に送信される映像信号が制御される。
【００１４】
例えば、外部機器に送信される映像信号が記録メディアから映像信号を再生する映像信号再生部で得られる場合、画面位置の座標情報に基づいて、映像信号再生部の再生動作が制御される。これにより、上述の表示装置側における画像表示の開始、停止、早送り、巻き戻し等が行われる。
【００１５】
また、例えば、外部機器に送信される映像信号がインターネットから画像ファイルを取得してウェブページを表示する映像信号を生成するウェブブラウザで得られる場合、画面位置の座標情報に基づいて、ウェブページを更新するようにウェブブラウザが制御される。これにより、上述の表示装置側におけるウェブページの更新が行われる。
【００１６】
また、例えば、映像信号取得部で取得された映像信号は、ネットワークを介して他の装置に送信される。この場合、映像信号取得部で取得された映像信号に、画面位置の座標情報で示される画面位置にマークを表示するための表示信号が合成されて、他の装置に送信される映像信号とされる。この場合、他の装置側では、画面上にマークが表示されるので、例えば、資料画面上の相手装置側説明者が指し示した位置を簡単に知ることができる。
【００１７】
このように、送信装置から表示装置に映像信号を送信するための伝送路が、表示装置から送信装置に座標情報を送信するためにも使用される。そのため、送信装置と表示装置との接続を、例えば、１本のＨＤＭＩケーブルだけで行うことができ、表示装置、送信装置の小型化、低価格化を図ることができる。
【００１８】
この発明の概念は、
外部機器から、複数チャネルで、差動信号により、伝送路を介して映像信号を受信する信号受信部と、
上記信号受信部で受信された映像信号を処理して画像を表示する画像表示部と、
上記伝送路の所定のラインにより構成される通信路を介して上記外部機器と通信を行う通信部と、
被写体を撮像して、該被写体に対応した映像信号を得る撮像部と、
上記撮像部で得られた映像信号を上記通信部により上記外部機器に送信する信号送信部とを備え、
上記通信路は一対の差動伝送路であり、該一対の差動伝送路のうち少なくとも一方は直流バイアス電位によって上記外部機器の接続状態を通知する機能を有する
表示装置にある。
【００１９】
また、この発明の概念は、
映像信号を、複数のチャネルで、差動信号により、伝送路を介して外部機器に送信する信号送信部と、
上記伝送路の所定のラインにより構成される通信路を介して上記外部機器と通信を行う通信部と、
上記信号送信部で送信する映像信号を取得する映像信号取得部と、
上記外部機器から上記通信部により受信される映像信号を、上記映像信号取得部で取得される映像信号に合成して、上記信号送信部で送信される映像信号を生成する信号処理部とを備え、
上記通信路は一対の差動伝送路であり、該一対の差動伝送路のうち少なくとも一方は直流バイアス電位によって上記外部機器の接続状態を通知する機能を有する
送信装置にある。
【００２０】
表示装置においては、外部機器（送信装置）から伝送路を介して映像信号が受信されて画像が表示される。撮像部からは被写体に対応した映像信号（撮像映像信号）が得られる。表示装置においては、伝送路の所定のラインにより構成される通信路を介して外部機器（送信装置）と通信を行う通信部が備えられている。上述の撮像映像信号は、この通信部により、外部機器に送信される。このような撮像映像信号の送信は、例えば、外部機器から、伝送路を構成する制御データラインまたは通信部により、送信要求コマンドが送られてくるときに行われる。
【００２１】
送信装置においては、外部機器（表示装置）に、伝送路を介して映像信号が送信される。また、送信装置においては、伝送路の所定のラインにより構成される通信路を介して外部機器（表示装置）と通信を行う通信部が備えられている。そして、送信装置においては、通信部により受信される映像信号が、映像信号取得部で取得された映像信号に合成されて、外部機器に送信される映像信号が生成される。
【００２２】
例えば、映像信号取得部は記録メディアから映像信号を再生する映像信号再生部であり、この映像信号再生部からの映像信号に、外部機器から送られてくる撮像映像信号が合成される。これにより、表示装置側には、再生画像と撮像画像との合成画像が表示される。
【００２３】
また、例えば、映像信号取得部はインターネットから画像ファイルを取得してウェブページを表示する映像信号を生成するウェブブラウザであり、このウェブブラウザからの映像信号に、外部機器から送られてくる撮像映像信号が合成される。これにより、表示装置側には、ウェブページと撮像画像との合成画像が表示される。
【００２４】
また、例えば、映像信号取得部は他の装置からからネットワークを介して送信されてくる映像信号を受信する信号受信部であり、この信号受信部からの映像信号に、外部機器から送られてくる撮像映像信号が合成される。これにより、表示装置側には、他の装置側の画像（例えば、撮像画像）と自身の撮像画像との合成画像が表示される。
【００２５】
このように、送信装置から表示装置に映像信号を受信するための伝送路が、表示装置から送信装置に撮像映像信号を送信するためにも使用される。そのため、送信装置と表示装置との接続を、例えば、１本のＨＤＭＩケーブルだけで行うことができ、表示装置、送信装置の小型化、低価格化を図ることができる。
【００２６】
この発明の概念は、
外部機器から、複数チャネルで、差動信号により、伝送路を介して映像信号を受信する信号受信部と、
上記信号受信部で受信された映像信号を処理して画像を表示する画像表示部と、
上記伝送路の所定のラインにより構成される通信路を介して上記外部機器と通信を行う通信部と、
リモートコントロール信号を受信するリモコン受信部と、
上記リモコン受信部で受信されたリモートコントロール信号を、上記通信部により上記外部機器に送信する信号送信部とを備え、
上記通信路は一対の差動伝送路であり、該一対の差動伝送路のうち少なくとも一方は直流バイアス電位によって上記外部機器の接続状態を通知する機能を有する
表示装置にある。
【００２７】
また、この発明の概念は、
映像信号を、複数のチャネルで、差動信号により、伝送路を介して外部機器に送信する信号送信部と、
上記伝送路の所定のラインにより構成される通信路を介して上記外部機器と通信を行う通信部と、
上記信号送信部で送信する映像信号を取得する映像信号取得部と、
上記外部機器から送信されてくるリモートコントロール信号を上記通信部により受信する信号受信部と、
上記信号受信部で受信されたリモートコントロール信号に基づいて、上記映像信号取得部の動作を制御する制御部とを備え、
上記通信路は一対の差動伝送路であり、該一対の差動伝送路のうち少なくとも一方は直流バイアス電位によって上記外部機器の接続状態を通知する機能を有する
送信装置にある。
【００２８】
表示装置においては、外部機器（送信装置）から伝送路を介して映像信号が受信されて画像が表示される。リモコン受信部では、リモートコントロール信号が受信される。また、表示装置においては、伝送路の所定のラインにより構成される通信路を介して外部機器（送信装置）と通信を行う通信部が備えられている。上述のリモコン受信部で受信されたリモートコントロール信号は、この通信部により、外部機器に送信される。
【００２９】
送信装置においては、外部機器（表示装置）に、伝送路を介して映像信号が送信される。また、送信装置においては、伝送路の所定のラインにより構成される通信路を介して外部機器（表示装置）と通信を行う通信部が備えられている。そして、送信装置においては、通信部を通して受信されたリモートコントロール信号に基づいて、映像信号取得部の動作が制御される。
【００３０】
例えば、映像信号の種類毎（アプリケーション毎）に、通信部で受信される各リモートコントロール信号と制御内容との対応関係を示すテーブルを備え、制御部は、映像信号取得部により取得される映像信号の種類に対応したテーブルを用いて、通信部により受信したリモートコントロール信号が示す制御内容を認識して制御を行うようにしてもよい。ここで、映像信号の種類とは、再生映像信号、ウェブページを表示するための映像信号、他の装置からネットワークを介して送信されてきた映像信号等の種類を意味している。このように映像信号の種類毎のテーブルを容易しておくことで、１つのリモコン送信機で、複数の映像信号の種類に対応した操作が可能となる。
【００３１】
このように、送信装置から表示装置に映像信号を受信するための伝送路が、表示装置から送信装置にリモートコントロール信号を送信するためにも使用される。そのため、送信装置と表示装置との接続を、例えば、１本のＨＤＭＩケーブルだけで行うことができ、表示装置、送信装置の小型化、低価格化を図ることができる。
【発明の効果】
【００３２】
この発明によれば、外部機器から伝送路を介して映像信号を受信して画像を表示する表示装置にあって、伝送路の所定のラインにより構成される通信路（一対の差動伝送路）を介して外部機器と通信をする通信部により、外部機器に対して、画面位置の座標情報、撮像映像信号あるいはリモートコントロール信号を送信するものであり、小型化、低価格化を図ることができる。
【００３３】
また、この発明によれば、外部機器に伝送路を介して映像信号を送信する送信装置にあって、伝送路の所定のラインにより構成される通信路（一対の差動伝送路）を介して外部機器と通信をする通信部により、外部機器から、画面位置の座標情報、撮像映像信号あるいはリモートコントロール信号を受信するものであり、小型化、低価格化を図ることができる。
【発明を実施するための最良の形態】
【００３４】
以下、図面を参照しながら、この発明の実施の形態について説明する。図１は、実施の形態としてのＡＶ(Audio Visual)システム５の構成例を示している。
【００３５】
このＡＶシステム５は、ソース機器としてのパーソナルコンピュータ（ＰＣ）１０と、シンク機器としてのテレビ受信機３０とを有している。パーソナルコンピュータ１０およびテレビ受信機３０は、ＨＤＭＩケーブル１を介して接続されている。
【００３６】
パーソナルコンピュータ１０には、ＨＤＭＩ送信部（ＨＤＭＩＴＸ）１２および高速データラインインタフェース１２Ａが接続されたＨＤＭＩ端子１１が設けられている。テレビ受信機３０には、ＨＤＭＩ受信部（ＨＤＭＩ ＲＸ）３２および高速データラインインタフェース３２Ａが接続されたＨＤＭＩ端子３１が設けられている。ＨＤＭＩケーブル１の一端はパーソナルコンピュータ１０のＨＤＭＩ端子１１に接続され、このＨＤＭＩケーブル１の他端はテレビ受信機３０のＨＤＭＩ端子３１に接続されている。
【００３７】
パーソナルコンピュータ１０は、インターネット等のネットワーク２１０を介して端末装置２２０に接続されている。詳細説明は省略するが、端末装置２２０は、パーソナルコンピュータ１０と同様の構成とされている。なお、パーソナルコンピュータ１０は、テレビ会議機能を備えており、端末装置２２０との間で、画像および音声のデータの送信および受信が可能になっている。また、テレビ受信機３０は、被写体を撮像する撮像部としてのカメラ５９を備えている。
【００３８】
図２は、パーソナルコンピュータ１０の構成例を示している。
【００３９】
このパーソナルコンピュータ１０は、ＨＤＭＩ端子１１と、ＨＤＭＩ送信部１２と、高速データラインインタフェース１２Ａと、ＣＰＵ（Central Processing Unit）１３と、ＲＯＭ（Read OnlyMemory）１４と、ＲＡＭ（Random Access Memory）１５と、バス１６と、入出力インタフェース１７と、入力部１８と、出力部１９と、記憶部２０と、ドライブ２１と、イーサネットインタフェース（Ethernet I/F）２２と、ネットワーク端子２３とを有している。なお、「イーサネット」および「Ｅｔｈｅｒｎｅｔ」は登録商標である。
【００４０】
このパーソナルコンピュータ１０において、ＣＰＵ１３、ＲＯＭ１４、ＲＡＭ１５は、バス１６により相互に接続されている。バス１６には、さらに、入出力インタフェース１７が接続されている。入出力インタフェース１７には、入力部１８、出力部１９、記憶部２０、ドライブ２１およびＨＤＭＩ送信部（ＨＤＭＩ  ＴＸ）１２が接続されている。
【００４１】
入力部１８は、キーボード、マウス、マイクロホン等により構成されている。出力部１９は、ディスプレイ、スピーカ等により構成されている。記憶部２０は、ＨＤＤ(Hard Disk Drive)、不揮発性メモリ等により構成されている。ドライブ２１は、磁気ディスク、光ディスク、光磁気ディスク、あるいはメモリカード等のリムーバブルメディアを駆動する。
【００４２】
また、バス１６には、イーサネットインタフェース２２が接続されている。このイーサネットインタフェース２２には、ネットワーク端子２３と、高速データラインインタフェース１２Ａが接続されている。高速データラインインタフェース１２Ａは、ＨＤＭＩケーブル１を構成する所定のライン（この実施の形態においては、リザーブライン、ＨＰＤライン）を用いた双方向通信のインタフェースである。この高速データラインインタフェース１２Ａの詳細は後述する。
【００４３】
図２に示すように構成されたパーソナルコンピュータ１０では、ＣＰＵ１３が、例えば、記憶部２０に記憶されているプログラムを、入出力インタフェース１７およびバス１６を介して、ＲＡＭ１５にロードして実行することにより、後述する一連の処理が行われる。
【００４４】
図３は、テレビ受信機３０の構成例を示している。このテレビ受信機３０は、ＨＤＭＩ端子３１と、ＨＤＭＩ受信部３２と、高速データラインインタフェース３２Ａと、アンテナ端子３５と、デジタルチューナ３６と、デマルチプレクサ３７と、ＭＰＥＧ(Moving Picture Expert Group)デコーダ３８と、映像信号処理回路３９と、グラフィック生成回路４０と、パネル駆動回路４１と、表示パネル４２と、音声信号処理回路４３と、音声増幅回路４４と、スピーカ４５と、内部バス５０と、ＣＰＵ５１と、フラッシュＲＯＭ５２と、ＤＲＡＭ(Dynamic Random Access Memory)５３と、イーサネットインタフェース（Ethernet I/F）５４と、ネットワーク端子５５と、リモコン受信部５６と、リモコン送信機５７と、タッチパネル５８と、カメラ５９と、座標検出部６０とを有している。
【００４５】
アンテナ端子３５は、受信アンテナ（図示せず）で受信されたテレビ放送信号を入力する端子である。デジタルチューナ３６は、アンテナ端子３５に入力されたテレビ放送信号を処理して、ユーザの選択チャネルに対応した所定のトランスポートストリームを出力する。デマルチプレクサ３７は、デジタルチューナ３６で得られたトランスポートストリームから、ユーザの選択チャネルに対応した、パーシャルＴＳ（Transport Stream）（映像データのＴＳパケット、音声データのＴＳパケット）を抽出する。
【００４６】
また、デマルチプレクサ３７は、デジタルチューナ３６で得られたトランスポートストリームから、ＰＳＩ／ＳＩ(Program Specific Information/Service Information)を取り出し、ＣＰＵ５１に出力する。デジタルチューナ３６で得られたトランスポートストリームには、複数のチャネルが多重化されている。デマルチプレクサ３７で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００４７】
ＭＰＥＧデコーダ３８は、デマルチプレクサ３７で得られる映像データのＴＳパケットにより構成される映像ＰＥＳ(Packetized Elementary Stream)パケットに対してデコード処理を行って映像データを得る。また、ＭＰＥＧデコーダ３８は、デマルチプレクサ３７で得られる音声データのＴＳパケットにより構成される音声ＰＥＳパケットに対してデコード処理を行って音声データを得る。
【００４８】
映像信号処理回路３９およびグラフィック生成回路４０は、ＭＰＥＧデコーダ３８で得られた映像データに対して、必要に応じてマルチ画面処理、グラフィックスデータの重畳処理等を行う。パネル駆動回路４１は、グラフィック生成回路４０から出力される映像データに基づいて、表示パネル４２を駆動する。表示パネル４２は、例えば、ＬＣＤ(Liquid Crystal Display)、ＰＤＰ(Plasma DisplayPanel)等で構成されている。音声信号処理回路４３はＭＰＥＧデコーダ３８で得られた音声データに対してＤ／Ａ変換等の必要な処理を行う。音声増幅回路４４は、音声信号処理回路４３から出力される音声信号を増幅してスピーカ４５に供給する。
【００４９】
ＣＰＵ５１は、テレビ受信機３０の各部の動作を制御する。フラッシュＲＯＭ５２は、制御ソフトウェアの格納およびデータの保管を行う。ＤＲＡＭ５３は、ＣＰＵ５１のワークエリアを構成する。ＣＰＵ５１は、フラッシュＲＯＭ５２から読み出したソフトウェアやデータをＤＲＡＭ５３上に展開してソフトウェアを起動させ、テレビ受信機３０の各部を制御する。
【００５０】
リモコン受信部５６は、リモコン送信機５７から送信されたリモーコントロール信号（リモコンコード）を受信し、ＣＰＵ５１に供給する。ＣＰＵ５１は、このリモコンコードに基づいて、テレビ受信機３０の各部を制御する。ネットワーク端子５５は、ネットワークに接続する端子であり、イーサネットインタフェース５４に接続される。ＣＰＵ５１、フラッシュＲＯＭ５２、ＤＲＡＭ５３およびイーサネットインタフェース５４は、内部バス５０に接続されている。
【００５１】
カメラ５９は、被写体を撮像して、当該被写体に対応した撮像映像信号を得るためのものである。このカメラ５９は、内部バス５０に接続されている。タッチパネル５８は、表示パネル４２の画面上の位置を指定する位置指定部を構成しており、表示パネル４２の画面上に配置されている。このタッチパネル５８は、座標検出部６０を介して内部バス５０に接続されている。ユーザは、タッチパネル５８を、指で直接触れるか、あるいはペンで触れるかして、画面上の位置を指定できる。
【００５２】
なお、表示パネル４２の画面上の位置を、上述したタッチパネル５８を用いて指定する代わりに、リモコン送信機５７を操作して、指定することもできる。この場合、表示画面上にカーソルが表示され、リモコン送信機５７からカーソルを移動するためのリモートコントロール信号を送信してカーソル位置を動かして、画面上の位置を指定できる。この場合、リモコン送信機５７およびリモコン受信部５６は、位置指定部を構成する。
【００５３】
ＨＤＭＩ受信部（ＨＤＭＩシンク）３２は、ＨＤＭＩに準拠した通信により、ＨＤＭＩケーブル１を介してＨＤＭＩ端子３１に供給されるベースバンドの映像（画像）と音声のデータを受信する。このＨＤＭＩ受信部３２の詳細は後述する。
【００５４】
高速データラインインタフェース３２Ａは、ＨＤＭＩケーブル１を構成する所定のライン（この実施の形態においては、リザーブライン、ＨＰＤライン）を用いた双方向通信のインタフェースである。この高速データラインインタフェース３２Ａは、イーサネットインタフェース５４とＨＤＭＩ端子３１との間に挿入されている。
【００５５】
図３に示すテレビ受信機３０の動作を簡単に説明する。
【００５６】
アンテナ端子３５に入力されたテレビ放送信号はデジタルチューナ３６に供給される。このデジタルチューナ３６では、テレビ放送信号を処理して、ユーザの選択チャネルに対応した所定のトランスポートストリームが出力され、当該所定のトランスポートストリームはデマルチプレクサ３７に供給される。このデマルチプレクサ３７では、トランスポートストリームから、ユーザの選択チャネルに対応した、パーシャルＴＳ（映像データのＴＳパケット、音声データのＴＳパケット）が抽出され、当該パーシャルＴＳはＭＰＥＧデコーダ３８に供給される。
【００５７】
ＭＰＥＧデコーダ３８では、映像データのＴＳパケットにより構成される映像ＰＥＳパケットに対してデコード処理が行われて映像データが得られる。この映像データは、映像信号処理回路３９およびグラフィック生成回路４０において、必要に応じてマルチ画面処理、グラフィックスデータの重畳処理等が行われた後に、パネル駆動回路４１に供給される。そのため、表示パネル４２には、ユーザの選択チャネルに対応した画像が表示される。
【００５８】
また、ＭＰＥＧデコーダ３８では、音声データのＴＳパケットにより構成される音声ＰＥＳパケットに対してデコード処理が行われて音声データが得られる。この音声データは、音声信号処理回路４３でＤ／Ａ変換等の必要な処理が行われ、さらに、音声増幅回路４４で増幅された後に、スピーカ４５に供給される。そのため、スピーカ４５から、ユーザの選択チャネルに対応した音声が出力される。
【００５９】
また、ＨＤＭＩ受信部３２では、ＨＤＭＩ端子３１にＨＤＭＩケーブル１を介して接続されているパーソナルコンピュータ１０から送信されてくる、映像（画像）データおよび音声データが取得される。この映像データおよび音声データは、それぞれ、映像信号処理回路３９および音声信号処理回路４３に供給される。以降は、上述したテレビ放送信号の受信時と同様の動作となり、表示パネル４２に画像が表示され、スピーカ４５から音声が出力される。
【００６０】
上述したように、ＨＤＭＩ端子３１に接続されるＨＤＭＩケーブル１としては、映像データの伝送ライン（伝送路）の他に、制御データの伝送ライン（伝送路）についても用意してあり、制御データの伝送ラインについては、双方向でデータ伝送が行える構成としてある。したがって、ＨＤＭＩ受信部３２は、映像信号を受信する機能の他に、制御データを送受信する機能を備える。ＨＤＭＩ受信部３２で受信された制御データはＣＰＵ５１に供給される。また、このＨＤＭＩ受信部３２で送信する制御データは、ＣＰＵ５１から供給される。
【００６１】
高速データラインインタフェース３２Ａは、ＣＰＵ５１から供給される送信データを、ＨＤＭＩ端子３１からＨＤＭＩケーブル１を介して相手側の機器に送信する。また、この高速データラインインタフェース３２Ａは、ＨＤＭＩケーブル１からＨＤＭＩ端子３１を介して相手側の機器から受信された受信データをＣＰＵ５１に供給する。
【００６２】
なお、この実施の形態において、高速データラインインタフェース３２Ａを介して、相手側の機器、すなわちパーソナルコンピュータ１０に送信されるデータとしては、タッチパネル５８等で指定された表示画面上の位置を示す座標情報、カメラ５９から得られる撮像映像信号、さらには、リモコン受信部５６で受信されたリモートコントロール信号（リモコンコード）等がある。
【００６３】
図４は、図１のＡＶシステム５における、パーソナルコンピュータ１０のＨＤＭＩ送信部（ＨＤＭＩソース）１２と、テレビ受信機３０のＨＤＭＩ受信部（ＨＤＭＩシンク）３２の構成例を示している。
【００６４】
ＨＤＭＩソース１２は、一の垂直同期信号から次の垂直同期信号までの区間より水平帰線区間及び垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩシンク３２に一方向に送信するとともに、水平帰線区間または垂直帰線区間において、少なくとも画像に付随する音声データや制御データ、その他の補助データ等に対応する差動信号を、複数のチャネルで、ＨＤＭＩシンク３２に一方向に送信する。
【００６５】
すなわち、ＨＤＭＩソース１２は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル１を介して接続されているＨＤＭＩシンク３２に、一方向にシリアル伝送する。
【００６６】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル１を介して接続されているＨＤＭＩシンク３２に、一方向にシリアル伝送する。
【００６７】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル１を介して接続されているＨＤＭＩシンク３２に送信する。ここで、１つのＴＭＤＳチャネル＃ｉ（ｉ=０，１，２）では、ピクセルクロックの１クロックの間に、１０ビットの画素データが送信される。
【００６８】
ＨＤＭＩシンク３２は、アクティブビデオ区間において、複数のチャネルで、ＨＤＭＩソース１２から一方向に送信されてくる、画素データに対応する差動信号を受信するとともに、水平帰線区間または垂直帰線区間において、複数のチャネルで、ＨＤＭＩソース１２から一方向に送信されてくる、音声データや制御データに対応する差動信号を受信する。
【００６９】
すなわち、ＨＤＭＩシンク３２は、レシーバ８２を有する。レシーバ８２は、ＴＭＤＳチャネル＃０，＃１，＃２で、ＨＤＭＩケーブル１を介して接続されているＨＤＭＩソース１２から一方向に送信されてくる、画素データに対応する差動信号と、音声データや制御データに対応する差動信号を、同じくＨＤＭＩソース１２からＴＭＤＳクロックチャネルで送信されてくるピクセルクロックに同期して受信する。
【００７０】
ＨＤＭＩソース１２とＨＤＭＩシンク３２とからなるＨＤＭＩシステムの伝送チャネルには、ＨＤＭＩソース１２からＨＤＭＩシンク３２に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルとの他に、ＤＤＣ（Display Data Channel）８３やＣＥＣライン８４と呼ばれる伝送チャネルがある。
【００７１】
ＤＤＣ８３は、ＨＤＭＩケーブル１に含まれる図示せぬ２本の信号線からなり、ＨＤＭＩソース１２が、ＨＤＭＩケーブル１を介して接続されたＨＤＭＩシンク３２から、Ｅ−ＥＤＩＤ（Enhanced Extended Display Identification Data）を読み出すために使用される。
【００７２】
すなわち、ＨＤＭＩシンク３２は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)８５を有している。ＨＤＭＩソース１２は、ＨＤＭＩケーブル１を介して接続されているＨＤＭＩシンク３２から、当該ＨＤＭＩシンク３２のＥ−ＥＤＩＤを、ＤＤＣ８３を介して読み出し、そのＥ−ＥＤＩＤに基づき、ＨＤＭＩシンク３２の性能の設定、すなわち、例えば、ＨＤＭＩシンク３２を有する電子機器が対応している画像のフォーマット（プロファイル）、例えば、ＲＧＢ、ＹＣbＣr４：４：４、ＹＣbＣr４：２：２等を認識する。
【００７３】
ＣＥＣライン８４は、ＨＤＭＩケーブル１に含まれる図示せぬ１本の信号線からなり、ＨＤＭＩソース１２とＨＤＭＩシンク３２との間で、制御用のデータの双方向通信を行うのに用いられる。
【００７４】
また、ＨＤＭＩケーブル１には、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブル１には、ソース機器からシンク機器に電源を供給するために用いられるライン８７が含まれている。さらに、ＨＤＭＩケーブル１には、リザーブライン８８が含まれている。
【００７５】
図５は、図４のＨＤＭＩトランスミッタ８１とＨＤＭＩレシーバ８２の構成例を示している。
【００７６】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【００７７】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００７８】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００７９】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００８０】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００８１】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００８２】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００８３】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００８４】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００８５】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００８６】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００８７】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００８８】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００８９】
図６は、ＨＤＭＩの３つのＴＭＤＳチャネル＃０，＃１，＃２で各種の伝送データが伝送される伝送区間（期間）の例を示している。なお、図６は、ＴＭＤＳチャネル＃０，＃１，＃２において、横×縦が７２０×４８０画素のプログレッシブの画像が伝送される場合の、各種の伝送データの区間を示している。
【００９０】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００９１】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（verticalblanking）、並びに、ビデオフィールド区間から、水平ブランキング期間および垂直ブランキング期間を除いた区間であるアクティブビデオ区間（Active Video）に分けられる。
【００９２】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【００９３】
データアイランド区間およびコントロール区間は、水平ブランキング期間および垂直ブランキング期間に割り当てられる。このデータアイランド区間およびコントロール区間では、補助データ（Auxiliary data）が伝送される。
【００９４】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００９５】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００９６】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【００９７】
図７は、ＨＤＭＩ端子１１，３１のピン配列を示している。このピン配列はタイプＡ（type-A）と呼ばれている。
【００９８】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００９９】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１００】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【０１０１】
図８は、図１のＡＶシステム５における、パーソナルコンピュータ１０の高速データラインインタフェース１２Ａと、テレビ受信機３０の高速データラインインタフェース３２Ａの構成例を示している。これらインタフェース１２Ａ，３２Ａは、ＬＡＮ(Local Area Network)通信を行う通信部を構成する。この通信部は、ＨＤＭＩケーブル１を構成する複数のラインのうち、１対の差動ライン、この実施の形態においては、空き（Reserve）ピン（１４ピン）に対応したリザーブライン（Ether＋ライン）、およびＨＰＤピン（１９ピン）に対応したＨＰＤライン（Ether−ライン）を用いて、通信を行う。
【０１０２】
パーソナルコンピュータ１０は、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース１２Ａは、ＬＡＮ信号送信回路４１１、終端抵抗４１２、ＡＣ結合容量４１３，４１４、ＬＡＮ信号受信回路４１５、減算回路４１６により構成されている。
【０１０３】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【０１０４】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる。
【０１０５】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414はＣＰＵ１３に供給される。
【０１０６】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ＣＰＵ１３に供給される。
【０１０７】
テレビ受信機３０は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース３２Ａは、ＬＡＮ信号送信回路４４１、終端抵抗４４２、ＡＣ結合容量４４３，４４４、ＬＡＮ信号受信回路４４５、減算回路４４６により構成されている。
【０１０８】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１０９】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【０１１０】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【０１１１】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、ＣＰＵ５１に供給される。
【０１１２】
ＨＤＭＩケーブル１に含まれるリザーブライン５０１およびＨＰＤライン５０２は、差動ツイストペアを構成している。リザーブライン５０１のソース側端５１１はＨＤＭＩ端子１１の１４ピンに接続され、当該リザーブライン５０１のシンク側端５２１はＨＤＭＩ端子３１の１４ピンに接続される。また、ＨＰＤライン５０２のソース側端５１２はＨＤＭＩ端子１１の１９ピンに接続され、当該ＨＰＤライン５０２のシンク側端５２２はＨＤＭＩ端子３１の１９ピンに接続される。
【０１１３】
パーソナルコンピュータ１０において、上述したプルアップ抵抗４２１とＡＣ結合容量４１３の互いの接続点Ｑ１はＨＤＭＩ端子１１の１４ピンに接続され、また、上述したプルダウン抵抗４３１とＡＣ結合容量４１４の互いの接続点Ｑ２はＨＤＭＩ端子１１の１９ピンに接続される。一方、テレビ受信機３０において、上述したプルダウン抵抗４５１とＡＣ結合容量４４３の互いの接続点Ｑ３はＨＤＭＩ端子３１の１４ピンに接続され、また、上述したチョークコイル４６１とＡＣ結合容量４４４の互いの接続点Ｑ４はＨＤＭＩ端子３１の１９ピンに接続される。
【０１１４】
次に、上述したように構成された高速データラインインタフェース１２Ａ，３２ＡによるＬＡＮ通信の動作を説明する。
【０１１５】
パーソナルコンピュータ１０において、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブル１の１対のライン（リザーブライン５０１、ＨＰＤライン５０２）を通じて、テレビ受信機３０に送信される。
【０１１６】
また、テレビ受信機３０において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブル１の１対のライン（リザーブライン５０１、ＨＰＤライン５０２）を通じて、パーソナルコンピュータ１０に送信される。
【０１１７】
また、パーソナルコンピュータ１０において、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにテレビ受信機３０から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、テレビ受信機３０の送信信号（送信データ）ＳＧ417に対応したものとなる。
【０１１８】
また、テレビ受信機３０において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにパーソナルコンピュータ１０から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、パーソナルコンピュータ１０の送信信号（送信データ）ＳＧ411に対応したものとなる。
【０１１９】
このように、パーソナルコンピュータ１０の高速データラインインタフェース１２Ａと、テレビ受信機３０の高速データラインインタフェース３２Ａとの間では、双方向のＬＡＮ通信を行うことができる。
【０１２０】
図８に示す構成例によれば、１本のＨＤＭＩケーブル１で映像と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信につかわない空間的分離を行うことが可能となる。その結果、その分割によりＤＤＣに関して規定された電気的仕様と無関係にＬＡＮ通信のための回路を形成することができ、安定で確実なＬＡＮ通信が安価に実現できる。
【０１２１】
なお、図８において、ＨＰＤライン５０２は、上述のＬＡＮ通信の他に、ＤＣバイアスレベルで、ＨＤＭＩケーブル１がテレビ受信機３０に接続されたことをパーソナルコンピュータ１０に伝達する。すなわち、テレビ受信機３０内の抵抗４６２，４６３とチョークコイル４６１は、ＨＤＭＩケーブル１がテレビ受信機３０に接続されるとき、ＨＰＤライン５０２を、ＨＤＭＩ端子３１の１９ピンを介して、約４Ｖにバイアスする。パーソナルコンピュータ１０は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１２２】
ＨＤＭＩ端子１１の１９ピンの電圧は、ＨＤＭＩケーブル１がテレビ受信機３０に接続されていなければ、プルダウン抵抗４３１が存在するために基準電圧Ｖref2より低く、逆に、ＨＤＭＩケーブル１がテレビ受信機３０に接続されていれば基準電圧Ｖref2より高い。したがって、比較器４３４の出力信号ＳＧ415は、ＨＤＭＩケーブル１がテレビ受信機３０に接続されているときは高レベルとなり、そうでないときは低レベルとなる。これにより、パーソナルコンピュータ１０のＣＰＵ１３は、比較器４３４の出力信号ＳＧ415に基づいて、ＨＤＭＩケーブル１がテレビ受信機３０に接続されたか否かを認識できる。
【０１２３】
また、図８において、リザーブライン５０１のＤＣバイアス電位で、ＨＤＭＩケーブル１の両端に接続された機器が、ＬＡＮ通信が可能な機器（以下、「ｅ−ＨＤＭＩ対応機器」という）であるか、ＬＡＮ通信が不可能な機器（以下、「ｅ−ＨＤＭＩ非対応機器」かを、相互に認識する機能を有している。
【０１２４】
上述したように、パーソナルコンピュータ１０はリザーブライン５０１を抵抗４２１でプルアップ（＋５Ｖ）し、テレビ受信機３０はリザーブライン５０１を抵抗４５１でプルダウンする。抵抗４２１，４５１は、ｅ−ＨＤＭＩ非対応機器には存在しない。
【０１２５】
パーソナルコンピュータ１０は、上述したように、比較器４２４で、抵抗４２２および容量４２３からなるローパスフィルタを通過したリザーブライン５０１のＤＣ電位を基準電圧Ｖref1と比較する。テレビ受信機３０が、ｅ−ＨＤＭＩ対応機器でプルダウン抵抗４５１があるときには、リザーブライン５０１の電圧が２．５Ｖとなる。しかし、テレビ受信機３０が、ｅ−ＨＤＭＩ非対応機器でプルダウン抵抗４５１がないときには、リザーブライン５０１の電圧がプルアップ抵抗４２１の存在により５Ｖとなる。
【０１２６】
そのため、基準電圧Ｖref1が例えば３．７５Ｖとされることで、比較器４２４の出力信号ＳＧ414は、テレビ受信機３０がｅ−ＨＤＭＩ対応機器であるときは低レベルとなり、そうでないときは高レベルとなる。これにより、パーソナルコンピュータ１０のＣＰＵ１３は、比較器４２４の出力信号ＳＧ414に基づいて、テレビ受信機３０がｅ−ＨＤＭＩ対応機器であるか否かを認識できる。
【０１２７】
同様に、テレビ受信機３０は、上述したように、比較器４５４で、抵抗４５２および容量４５３からなるローパスフィルタを通過したリザーブライン５０１のＤＣ電位を基準電圧Ｖref3と比較する。パーソナルコンピュータ１０が、ｅ−ＨＤＭＩ対応機器でプルアップ抵抗４２１があるときには、リザーブライン５０１の電圧が２．５Ｖとなる。しかし、パーソナルコンピュータ１０が、ｅ−ＨＤＭＩ非対応機器でプルアップ抵抗４２１がないときには、リザーブライン５０１の電圧がプルダウン抵抗４５１の存在により０Ｖとなる。
【０１２８】
そのため、基準電圧Ｖref3が例えば１．２５Ｖとされることで、比較器４５４の出力信号ＳＧ416は、パーソナルコンピュータ１０がｅ−ＨＤＭＩ対応機器であるときは高レベルとなり、そうでないときは低レベルとなる。これにより、テレビ受信機３０のＣＰＵ５１は、比較器４５４の出力信号ＳＧ416に基づいて、パーソナルコンピュータ１０がｅ−ＨＤＭＩ対応機器であるか否かを認識できる。
【０１２９】
次に、図１に示すＡＶシステム５の動作を説明する。
【０１３０】
パーソナルコンピュータ１０は、上述したように、磁気ディスク、光ディスク、光磁気ディスク、あるいはメモリカード等のリムーバブルメディアを駆動するドライブ２１を備えている。映像信号の再生時、パーソナルコンピュータ１０のＣＰＵ１３は、ドライブ２１で記録メディアから再生された映像信号を、ＨＤＭＩのＴＭＤＳチャネルでテレビ受信機３０に送信し、当該映像信号による画像をテレビ受信機３０の表示パネル４２に表示する。
【０１３１】
この場合、表示パネル４２の表示画面には、再生開始、再生停止、一時停止、早送り、巻き戻し等の操作釦が表示される。この操作釦の表示は、例えば、グラフィック生成回路４０において画像データにグラフィックデータが重畳されることで行われる。表示画面上には、上述したように、タッチパネル５８が配置されている。
【０１３２】
ユーザは、タッチパネル５８を、指で直接触れるか、あるいはペンで触れるかして、表示画面上の位置を指定できる。なお、この位置指定を、リモコン送信機５７を用いて行うこともできる。リモコン送信機５７で位置指定を行う場合には、表示画面上にカーソルが表示され、リモコン送信機５７からカーソルを移動するためのリモートコントロール信号を送信することで、ユーザは、表示画面上の位置を指定できる。
【０１３３】
このように、タッチパネル５８あるいはリモコン送信機５７により指定された位置の座標情報は、座標検出部６０から内部バス５０を介してＣＰＵ５１に供給される。ＣＰＵ５１は、当該座標情報を、イーサネットインタフェース５４を介して高速データラインインタフェース３２Ａに供給する。この高速データラインインタフェース３２Ａは、当該座標情報を、ＨＤＭＩ端子３１からＨＤＭＩケーブル１に送出し、パーソナルコンピュータ１０に送信する。
【０１３４】
パーソナルコンピュータ１０の高速データラインインタフェース１２Ａは、テレビ受信機３０からＨＤＭＩケーブル１を介して送信されてくる上述の座標情報を受信し、イーサネットインタフェース２２を介してＣＰＵ１３に供給する。ＣＰＵ１３は、座標情報に基づいて、ユーザが表示画面のどの位置を指定したかを知ることができ、ユーザによる再生開始、再生停止、一時停止、早送り、巻き戻し等の操作を認識できる。ＣＰＵ１３は、この認識結果に基づいて、ドライブ２１の動作を制御する。
【０１３５】
このように、ユーザは、テレビ受信機３０の表示パネル４２に表示される再生画像に関して、表示画面の位置（再生開始、再生停止、一時停止、早送り、巻き戻し等の操作釦の表示位置）を指定することで、再生動作を操作できる。
【０１３６】
また、パーソナルコンピュータ１０のＣＰＵ１３は、Ｗｅｂページ（ウェブページ）の閲覧時、Ｗｅｂブラウザを起動して、ユーザが選択した所定のＷｅｂサイトにアクセスして、Ｗｅｂページを表示する。この場合、ＷｅｂページからのＨＴＭＬデータ、画像データ等に基づいて、ＣＰＵ１３はＷｅｂページを表示するための映像信号を生成する。
【０１３７】
パーソナルコンピュータ１０のＣＰＵ１３は、この映像信号を、ＨＤＭＩのＴＭＤＳチャネルでテレビ受信機３０に送信し、当該映像信号によるＷｅｂページをテレビ受信機３０の表示パネル４２に表示する。図９は、Ｗｅｂページの表示画面例を示している。この表示画面には、図示のように、前ページへの操作釦（Ｂａｃｋ）と、次ページへの操作釦（Ｎｅｘｔ）が表示されている。この操作釦の表示は、例えば、グラフィック生成回路４０において画像データにグラフィックデータが重畳されることで行われる。
【０１３８】
ユーザは、タッチパネル５８、あるいはリモコン送信機５７を操作して、表示画面上の位置を指定できる。このように、タッチパネル５８あるいはリモコン送信機５７により指定された位置の座標情報は、座標検出部６０から内部バス５０を介してＣＰＵ５１に供給される。ＣＰＵ５１は、当該座標情報を、イーサネットインタフェース５４を介して高速データラインインタフェース３２Ａに供給する。この高速データラインインタフェース３２Ａは、当該座標情報を、ＨＤＭＩ端子３１からＨＤＭＩケーブル１に送出し、パーソナルコンピュータ１０に送信する。
【０１３９】
パーソナルコンピュータ１０の高速データラインインタフェース１２Ａは、テレビ受信機３０からＨＤＭＩケーブル１を介して送信されてくる上述の座標情報を受信し、イーサネットインタフェース２２を介してＣＰＵ１３に供給する。ＣＰＵ１３は、座標情報に基づいて、ユーザが表示画面のどの位置を指定したかを知ることができ、ユーザによる、前ページ、次ページ等の操作を認識できる。ＣＰＵ１３は、この認識結果に基づいて、Ｗｅｂページを更新する。
【０１４０】
このように、ユーザは、テレビ受信機３０の表示パネル４２に表示されるＷｅｂページに関して、表示画面の位置（Ｂａｃｋ釦、Ｎｅｘｔ釦の表示位置）を指定することで、ページの更新を操作できる。
【０１４１】
図１０は、テレビ受信機３０からパーソナルコンピュータ１０に画面位置の座標情報を送る動作シーケンスの一例を示している。
【０１４２】
（ａ）パーソナルコンピュータ１０は、あるＷｅｂページを表示するための画像のデータを、ＨＤＭＩのＴＭＤＳチャネルを用いて、テレビ受信機３０に送信する。（ｂ）テレビ受信機３０は、パーソナルコンピュータ１０から送信された画像データに基づいて、Ｗｅｂページを表示する。このＷｅｂページには、Ｂａｃｋ釦およびＮｅｘｔ釦が表示されているものとする（図９参照）。
【０１４３】
（ｃ）この状態で、ユーザが、タッチパネル５８の、いずれかの釦位置にタッチすると、（ｄ）テレビ受信機３０は、そのタッチ位置を示す座標情報を、高速データライン（Ｅｔｈｅｒ）を用いて、パーソナルコンピュータ１０に送信する。（ｅ）これに対して、パーソナルコンピュータ１０は、ユーザが選択した釦の内容に合わせて、Ｗｅｂページを更新する。
【０１４４】
（ｆ）パーソナルコンピュータ１０は、更新されたＷｅｂページを表示するための画像データを、ＨＤＭＩのＴＭＤＳチャネルを用いて、テレビ受信機３０に送信する。（ｇ）テレビ受信機３０は、パーソナルコンピュータ１０から送信された画像データに基づいて、Ｗｅｂページを表示する。以下、ユーザが、画面に表示されたＢａｃｋ釦あるいはＮｅｘｔ釦をタッチパネル５８等で選択する毎に、パーソナルコンピュータ１０は、表示されるＷｅｂページを前ページあるいは次ページに更新する。
【０１４５】
なお、上述した映像信号再生時、あるいは、Ｗｅｂページ表示時におけるユーザ操作は、タッチパネル５８あるいはリモコン送信機５７によって表示画面の位置を指定するものであったが、リモコン送信機５７の所定の釦を押し下げて行うこともできる。
【０１４６】
この場合、テレビ受信機３０のＣＰＵ５１は、リモコン受信部５６で受信されたリモートコントロール信号（リモコンコード）を、イーサネットインタフェース５４を介して高速データラインインタフェース３２Ａに供給する。この高速データラインインタフェース３２Ａは、当該座標情報を、ＨＤＭＩ端子３１からＨＤＭＩケーブル１に送出し、パーソナルコンピュータ１０に送信する。
【０１４７】
パーソナルコンピュータ１０の高速データラインインタフェース１２Ａは、テレビ受信機３０からＨＤＭＩケーブル１を介して送信されてくるリモートコントロール信号を受信し、イーサネットインタフェース２２を介してＣＰＵ１３に供給する。例えば、ＲＯＭ１４には、映像信号の種類毎に、各リモートコントロール信号（リモコンコード）と制御内容との対応関係を示すテーブル１４ａが保持されている。ここで、映像信号の種類とは、再生映像信号、Ｗｅｂページを表示するための映像信号、他の装置からネットワークを介して送信されてきた映像信号等の種類を意味している。
【０１４８】
パーソナルコンピュータ１０のＣＰＵ１３は、ＨＤＭＩのＴＭＤＳチャネルによりテレビ受信機３０に送信されている映像信号の種類に対応したテーブルを用いて、上述したようにテレビ受信機３０から送信されてくるリモートコントロール信号が示す制御内容を認識する。そして、ＣＰＵ１３は、認識した制御内容に基づいた制御を行う。
【０１４９】
テレビ受信機３０に送信されている映像信号が再生映像信号である場合には、例えば、再生動作が制御される。また、テレビ受信機３０に送信されている映像信号がＷｅｂページを表示するための映像信号である場合には、例えば、Ｗｅｂページの更新動作等が制御される。
【０１５０】
このように、映像信号の種類毎のテーブルを用意しておくことで、１つのリモコン送信機５７で、複数の映像信号の種類に対応した操作を行うことが可能となる。つまり、リモコン送信機５７の特定の釦を、複数の操作にダブって使用できるようになる。
【０１５１】
なお、パーソナルコンピュータ１０では、映像信号の種類毎に、異なるアプリケーションが起動している。例えば、テレビ受信機３０に送信されている映像信号が再生映像信号である場合には、再生アプリケーションが起動している。また、例えば、テレビ受信機３０に送信されている映像信号がＷｅｂページを表示するための映像信号である場合には、Ｗｅｂブラウザが起動している。したがって、映像信号の種類毎を、起動しているアプリケーションの種類毎と、言い換えることもできる。
【０１５２】
図１１は、テレビ受信機３０からパーソナルコンピュータ１０にリモートコントロール信号を送る動作シーケンスの一例を示している。
【０１５３】
（ａ）ユーザがリモコン送信機５７の所定の釦を押すことで、（ｂ）リモコン送信機５７からテレビ受信機３０に、リモコンコード（リモートコントロール信号）が送信される。なお、リモコン送信機５７からテレビ受信機３０へのリモコンコードの送信には、赤外線信号、あるいは高周波信号等が使用される。
【０１５４】
（ｃ）テレビ受信機３０は、リモコン送信機５７から受信したリモコンコードを、高速データライン（Ｅｔｈｅｒ）、あるいはＣＥＣラインを用いて、パーソナルコンピュータ１０に転送する。（ｄ）パーソナルコンピュータ１０は、このときパーソナルコンピュータ１０からテレビ受信機３０に送信している映像信号の種類（起動しているアプリケーションの種類）に対応したテーブルを用いて、テレビ受信機３０から受信したリモコンコードが示す制御内容を認識する。この場合、テレビ受信機３０に送信されている映像信号が再生映像信号であって再生アプリケーションが起動しているときは、リモコンコードが示す制御内容は、例えば、再生動作に関係するものとなる。また、テレビ受信機３０に送信されている映像信号がＷｅｂページを表示するための映像信号であって、Ｗｅｂブラウザが起動しているときは、リモコンコードが示す制御内容は、例えば、Ｗｅｂページの更新動作等に関係するものとなる。
【０１５５】
（ｅ）次に、パーソナルコンピュータ１０は、認識した制御内容に基づいて、再生動作、Ｗｅｂページの更新動作などの動作を制御する。
【０１５６】
また、パーソナルコンピュータ１０は、テレビ会議時、端末装置２２０からネットワーク２１０を介して送られてくる、相手側の撮像画像データを、ＨＤＭＩのＴＭＤＳチャネルを用いてテレビ受信機３０に送信し、当該映像信号による相手側画像を表示パネル４２に表示する。
【０１５７】
また、このテレビ会議時、パーソナルコンピュータ１０は、ドライブ２１で記録メディアから再生された資料の映像信号、あるいは資料としての所定のＷｅｂページに対応した映像信号を、ＨＤＭＩのＴＭＤＳチャネルでテレビ受信機３０に送信し、当該映像信号による画像をテレビ受信機３０の表示パネル４２に表示すると共に、この映像信号を、ネットワーク２１０を介して端末装置２２０に送って、当該映像信号による画像を相手側でも表示させることができる。
【０１５８】
このような状態で、会議参加者（説明者）が、説明のために、テレビ受信機３０の表示画面の所定位置を、タッチパネル５８にタッチする等して指定した場合、その位置の座標情報が座標検出部６０から内部バス５０を介してＣＰＵ５１に供給される。ＣＰＵ５１は、当該座標情報を、イーサネットインタフェース５４を介して高速データラインインタフェース３２Ａに供給する。この高速データラインインタフェース３２Ａは、当該座標情報を、ＨＤＭＩ端子３１からＨＤＭＩケーブル１に送出し、パーソナルコンピュータ１０に送信する。
【０１５９】
パーソナルコンピュータ１０の高速データラインインタフェース１２Ａは、テレビ受信機３０からＨＤＭＩケーブル１を介して送信されてくる上述の座標情報を受信し、イーサネットインタフェース２２を介してＣＰＵ１３に供給する。ＣＰＵ１３は、当該座標情報に基づいて、上述したようにネットワーク２１０を介して端末装置２２０に送信する映像信号に、座標情報で示される画面位置にマークを表示するための表示信号を合成する。
【０１６０】
これにより、端末装置２２０にはマークを表示するための表示信号が合成された映像信号が送信されるため、端末装置２２０側の表示画面には、上述した会議参加者が指定した位置にマークが表示され、相手装置側説明者が指し示した位置を簡単に知ることができる。
【０１６１】
また、パーソナルコンピュータ１０は、テレビ受信機３０に、カメラ５９の撮像映像信号を要求できる。パーソナルコンピュータ１０は、撮像映像信号の要求コマンドを、高速データライン、あるいはＣＥＣラインを用いて、テレビ受信機３０に送る。テレビ受信機３０のＣＰＵ５１は、パーソナルコンピュータ１０からの要求コマンドに応じて、カメラ５９を起動させる。そして、このカメラ５９から出力される撮像映像信号を、イーサネットインタフェース５４を介して高速データラインインタフェース３２Ａに供給する。この高速データラインインタフェース３２Ａは、当該撮像映像信号を、ＨＤＭＩ端子３１からＨＤＭＩケーブル１に送出し、パーソナルコンピュータ１０に送信する。
【０１６２】
パーソナルコンピュータ１０の高速データラインインタフェース１２Ａは、テレビ受信機３０からＨＤＭＩケーブル１を介して送信されてくる上述の撮像映像信号を受信し、イーサネットインタフェース２２を介してＣＰＵ１３に供給する。そして、ＣＰＵ１３は、この撮像映像信号を、テレビ受信機３０に送信される映像信号（再生映像信号、Ｗｅｂページを表示するための映像信号、テレビ会議での相手側端末からの映像信号など）に合成する。これにより、テレビ受信機３０の表示パネル４２には、撮像画像が挿入された再生画像等が表示される。
【０１６３】
また、パーソナルコンピュータ１０は、テレビ会議時には、上述したようにテレビ受信機３０から送られてくる撮像映像信号を、ネットワーク２１０を介して、相手側の端末装置２２０に送信する。
【０１６４】
図１２は、テレビ受信機３０からパーソナルコンピュータ１０に撮像映像信号を送る動作シーケンスの一例を示している。
【０１６５】
（ａ）パーソナルコンピュータ１０は、テレビ受信機３０に、撮像映像信号の要求コマンドを、高速データライン（Ｅｔｈｅｒ）、あるいはＣＥＣラインを用いて、テレビ受信機３０に送信する。（ｂ）テレビ受信機３０は、撮像映像信号の要求コマンドの受信に伴って、カメラ５９が起動するように制御する。（ｃ）そして、カメラ５９は起動して撮像を開始し、撮像映像信号を、テレビ受信機３０に供給する。
【０１６６】
（ｅ）テレビ受信機３０は、カメラ５９から供給される撮像映像信号を、高速データラインを用いて、パーソナルコンピュータ１０に送信する。（ｆ）パーソナルコンピュータ１０は、テレビ受信機３０から受信した撮像映像信号を、当該パーソナルコンピュータ１０からテレビ受信機３０に送信される再生映像信号等に合成する。この合成は、例えば、撮像映像信号による画像を子画面表示させるための合成である。
【０１６７】
上述したように、図１に示すＡＶシステム５においては、パーソナルコンピュータ１０からテレビ受信機３０への映像信号の送信にはＨＤＭＩケーブル１のＴＭＤＳチャネルが用いられ、テレビ受信機３０からパーソナルコンピュータ１０への画面位置の座標情報、リモートコントロール信号（リモコンコード）、撮像映像信号の送信には、ＨＤＭＩケーブル１の所定ラインを用いた高速データラインが用いられる。したがって、図１に示すＡＶシステム５においては、パーソナルコンピュータ１０とテレビ受信機３０を１本のＨＤＭＩケーブル１で接続して構成でき、パーソナルコンピュータ１０、テレビ受信機３０は余分なその他の接続のための端子を持つ必要がなく、小型化、低価格化を図ることができる。
【０１６８】
なお、図１に示すＡＶシステム５においては、双方向通信を行う通信部が、ＨＤＭＩケーブル１のリザーブライン（Ether＋ライン）およびＨＰＤライン（Ether−ライン）を用いて構成されるものを示したが（図８参照）、双方向通信を行う通信部の構成は、これに限定されるものではない。以下に、その他の構成例を説明する。以下の例では、パーソナルコンピュータ１０をソース機器とし、テレビ受信機３０をシンク機器として説明する。
【０１６９】
図１３は、ＣＥＣライン８４、およびリザーブライン８８を用いて、半二重通信方式によるＩＰ通信を行う例である。なお、図１３において図４と対応する部分については、同一の符号を付してあり、その説明は適宜省略する。
【０１７０】
ソース機器の高速データラインインタフェース１２Ａは、変換部１３１、復号部１３２、スイッチ１３３、切り換え制御部１２１、およびタイミング制御部１２２を有している。変換部１３１には、ソース機器とシンク機器との間での双方向のＩＰ通信により、ソース機器からシンク機器に送信されるデータである、Ｔｘデータが供給される。
【０１７１】
変換部１３１は、例えば、差動アンプリファイアにより構成され、供給されたＴｘデータを２つの部分信号からなる差動信号に変換する。また、変換部１３１は、変換により得られた差動信号をＣＥＣライン８４、およびリザーブライン８８を介してシンク機器に送信する。すなわち、変換部１３１は、変換により得られた差動信号を構成する一方の部分信号をＣＥＣライン８４、より詳細にはソース機器に設けられた信号線であって、ＨＤＭＩケーブル１のＣＥＣライン８４に接続される信号線を介してスイッチ１３３に供給し、差動信号を構成する他方の部分信号をリザーブライン８８、より詳細には、ソース機器に設けられた信号線であって、ＨＤＭＩケーブル１のリザーブライン８８に接続される信号線、およびリザーブライン８８を介してシンク機器に供給する。
【０１７２】
復号部１３２は、例えば、差動アンプリファイアにより構成され、その入力端子が、ＣＥＣライン８４およびリザーブライン８８に接続されている。復号部１３２は、タイミング制御部１２２の制御に基づいて、ＣＥＣライン８４およびリザーブライン８８を介してシンク機器から送信されてきた差動信号、つまりＣＥＣライン８４上の部分信号およびリザーブライン８８上の部分信号からなる差動信号を受信し、元のデータであるＲｘデータに復号して出力する。ここで、Ｒｘデータとは、ソース機器とシンク機器との間での双方向のＩＰ通信により、シンク機器からソース機器に送信されるデータである。
【０１７３】
スイッチ１３３には、データを送信するタイミングにおいて、ソース機器の制御部（ＣＰＵ）からのＣＥＣ信号、または変換部１３１からのＴｘデータに対応する差動信号を構成する部分信号が供給され、データを受信するタイミングにおいて、シンク機器からのＣＥＣ信号、またはシンク機器からのＲｘデータに対応する差動信号を構成する部分信号が供給される。スイッチ１３３は、切り換え制御部１２１からの制御に基づいて、制御部（ＣＰＵ）からのＣＥＣ信号、もしくはシンク機器からのＣＥＣ信号、またはＴｘデータに対応する差動信号を構成する部分信号、もしくはＲｘデータに対応する差動信号を構成する部分信号を選択して出力する。
【０１７４】
すなわち、スイッチ１３３は、ソース機器がシンク機器にデータを送信するタイミングにおいて、制御部（ＣＰＵ）から供給されたＣＥＣ信号、または変換部１３１から供給された部分信号のうちのいずれかを選択し、選択したＣＥＣ信号または部分信号を、ＣＥＣライン８４を介してシンク機器に送信する。
【０１７５】
また、スイッチ１３３は、ソース機器がシンク機器から送信されてきたデータを受信するタイミングにおいて、ＣＥＣライン８４を介してシンク機器から送信されてきたＣＥＣ信号、またはＲｘデータに対応する差動信号の部分信号を受信し、受信したＣＥＣ信号または部分信号を、制御部（ＣＰＵ）または復号部１３２に供給する。
【０１７６】
切り換え制御部１２１はスイッチ１３３を制御して、スイッチ１３３に供給される信号のうちのいずれかが選択されるようにスイッチ１３３を切り換える。タイミング制御部１２２は、復号部１３２による差動信号の受信のタイミングを制御する。
【０１７７】
また、シンク機器の高速データラインインタフェース３２Ａは、変換部１３４、復号部１３６、スイッチ１３５、切り換え制御部１２４、およびタイミング制御部１２３を有している。変換部１３４は、例えば、差動アンプリファイアにより構成され、変換部１３４にはＲｘデータが供給される。変換部１３４は、タイミング制御部１２３の制御に基づいて、供給されたＲｘデータを２つの部分信号からなる差動信号に変換し、変換により得られた差動信号をＣＥＣライン８４およびリザーブライン８８を介してソース機器に送信する。
【０１７８】
すなわち、変換部１３４は、変換により得られた差動信号を構成する一方の部分信号をＣＥＣライン８４、より詳細にはシンク機器に設けられた信号線であって、ＨＤＭＩケーブル１のＣＥＣライン８４に接続される信号線を介してスイッチ１３５に供給し、差動信号を構成する他方の部分信号をリザーブライン８８、より詳細には、シンク機器に設けられた信号線であって、ＨＤＭＩケーブル１のリザーブライン８８に接続される信号線、およびリザーブライン８８を介してソース機器に供給する。
【０１７９】
スイッチ１３５には、データを受信するタイミングにおいて、ソース機器からのＣＥＣ信号、またはソース機器からのＴｘデータに対応する差動信号を構成する部分信号が供給され、データを送信するタイミングにおいて、変換部１３４からのＲｘデータに対応する差動信号を構成する部分信号、またはシンク機器の制御部（ＣＰＵ）からのＣＥＣ信号が供給される。スイッチ１３５は、切り換え制御部１２４からの制御に基づいて、ソース機器からのＣＥＣ信号、もしくは制御部（ＣＰＵ）からのＣＥＣ信号、またはＴｘデータに対応する差動信号を構成する部分信号、若しくはＲｘデータに対応する差動信号を構成する部分信号を選択して出力する。
【０１８０】
すなわち、スイッチ１３５は、シンク機器がソース機器にデータを送信するタイミングにおいて、シンク機器の制御部（ＣＰＵ）から供給されたＣＥＣ信号、または変換部１３４から供給された部分信号のうちのいずれかを選択し、選択したＣＥＣ信号または部分信号を、ＣＥＣライン８４を介してソース機器に送信する。
【０１８１】
また、スイッチ１３５は、シンク機器がソース機器から送信されてきたデータを受信するタイミングにおいて、ＣＥＣライン８４を介してソース機器から送信されてきたＣＥＣ信号、またはＴｘデータに対応する差動信号の部分信号を受信し、受信したＣＥＣ信号または部分信号を、制御部（ＣＰＵ）または復号部１３６に供給する。
【０１８２】
復号部１３６は、例えば、差動アンプリファイアにより構成され、その入力端子が、ＣＥＣライン８４およびリザーブライン８８に接続されている。復号部１３６は、ＣＥＣライン８４およびリザーブライン８８を介してソース機器から送信されてきた差動信号、つまりＣＥＣライン８４上の部分信号およびリザーブライン８８上の部分信号からなる差動信号を受信し、元のデータであるＴｘデータに復号して出力する。
【０１８３】
切り換え制御部１２４はスイッチ１３５を制御して、スイッチ１３５に供給される信号のうちのいずれかが選択されるようにスイッチ１３５を切り換える。タイミング制御部１２３は、変換部１３４による差動信号の送信のタイミングを制御する。
【０１８４】
図１４は、ＣＥＣライン８４およびリザーブライン８８と、ＳＤＡ信号が伝送される信号線（ＳＤＡライン）およびＳＣＬ信号が伝送される信号線（ＳＣＬライン）とを用いて、全二重通信方式によるＩＰ通信を行う例である。なお、図１４において図１３と対応する部分については、同一の符号を付してあり、その説明は適宜省略する。
【０１８５】
ソース機器の高速データラインインタフェース１２Ａは、変換部１３１、スイッチ１３３、スイッチ１８１、スイッチ１８２、復号部１８３、切り換え制御部１２１および切り換え制御部１７１を有している。
【０１８６】
スイッチ１８１には、データを送信するタイミングにおいて、ソース機器の制御部（ＣＰＵ）からのＳＤＡ信号が供給され、データを受信するタイミングにおいて、シンク機器からのＳＤＡ信号、またはシンク機器からのＲｘデータに対応する差動信号を構成する部分信号が供給される。スイッチ１８１は、切り換え制御部１７１からの制御に基づいて、制御部（ＣＰＵ）からのＳＤＡ信号、もしくはシンク機器からのＳＤＡ信号、またはＲｘデータに対応する差動信号を構成する部分信号を選択して出力する。
【０１８７】
すなわち、スイッチ１８１は、ソース機器がシンク機器から送信されてくるデータを受信するタイミングにおいて、ＳＤＡ信号が伝送される信号線であるＳＤＡライン１９１を介してシンク機器から送信されてきたＳＤＡ信号、またはＲｘデータに対応する差動信号の部分信号を受信し、受信したＳＤＡ信号または部分信号を、制御部（ＣＰＵ）または復号部１８３に供給する。
【０１８８】
また、スイッチ１８１は、ソース機器がシンク機器にデータを送信するタイミングにおいて、制御部（ＣＰＵ）から供給されたＳＤＡ信号を、ＳＤＡライン１９１を介してシンク機器に送信するか、またはシンク機器に何も送信しない。
【０１８９】
スイッチ１８２には、データを送信するタイミングにおいて、ソース機器の制御部（ＣＰＵ）からのＳＣＬ信号が供給され、データを受信するタイミングにおいて、シンク機器からのＲｘデータに対応する差動信号を構成する部分信号が供給される。スイッチ１８２は、切り換え制御部１７１からの制御に基づいて、ＳＣＬ信号またはＲｘデータに対応する差動信号を構成する部分信号のうちのいずれかを選択して出力する。
【０１９０】
すなわち、スイッチ１８２は、ソース機器がシンク機器から送信されてくるデータを受信するタイミングにおいて、ＳＣＬ信号が伝送される信号線であるＳＣＬライン１９２を介してシンク機器から送信されてきた、Ｒｘデータに対応する差動信号の部分信号を受信し、受信した部分信号を復号部１８３に供給するか、または何も受信しない。
【０１９１】
また、スイッチ１８２は、ソース機器がシンク機器にデータを送信するタイミングにおいて、ソース機器の制御部（ＣＰＵ）から供給されたＳＣＬ信号を、ＳＣＬライン１９２を介してシンク機器に送信するか、または何も送信しない。
【０１９２】
復号部１８３は、例えば、差動アンプリファイアにより構成され、その入力端子が、ＳＤＡライン１９１およびＳＣＬライン１９２に接続されている。復号部１８３は、ＳＤＡライン１９１およびＳＣＬライン１９２を介してシンク機器から送信されてきた差動信号、つまりＳＤＡライン１９１上の部分信号およびＳＣＬライン１９２上の部分信号からなる差動信号を受信し、元のデータであるＲｘデータに復号して出力する。
【０１９３】
切り換え制御部１７１はスイッチ１８１およびスイッチ１８２を制御して、スイッチ１８１およびスイッチ１８２のそれぞれについて、供給される信号のうちのいずれかが選択されるようにスイッチ１８１およびスイッチ１８２を切り換える。
【０１９４】
また、シンク機器を構成する高速データラインインタフェース３２Ａは、変換部１８４、スイッチ１３５、スイッチ１８５、スイッチ１８６、復号部１３６、切り換え制御部１７２および切り換え制御部１２４を有している。
【０１９５】
変換部１８４は、例えば、差動アンプリファイアにより構成され、変換部１８４にはＲｘデータが供給される。変換部１８４は、供給されたＲｘデータを２つの部分信号からなる差動信号に変換し、変換により得られた差動信号をＳＤＡライン１９１およびＳＣＬライン１９２を介してソース機器に送信する。すなわち、変換部１８４は、変換により得られた差動信号を構成する一方の部分信号をスイッチ１８５を介してソース機器に送信し、差動信号を構成する他方の部分信号をスイッチ１８６を介してソース機器に送信する。
【０１９６】
スイッチ１８５には、データを送信するタイミングにおいて、変換部１８４からのＲｘデータに対応する差動信号を構成する部分信号、またはシンク機器の制御部（ＣＰＵ）からのＳＤＡ信号が供給され、データを受信するタイミングにおいて、ソース機器からのＳＤＡ信号が供給される。スイッチ１８５は、切り換え制御部１７２からの制御に基づいて、制御部（ＣＰＵ）からのＳＤＡ信号、もしくはソース機器からのＳＤＡ信号、またはＲｘデータに対応する差動信号を構成する部分信号を選択して出力する。
【０１９７】
すなわち、スイッチ１８５は、シンク機器がソース機器から送信されてくるデータを受信するタイミングにおいて、ＳＤＡライン１９１を介してソース機器から送信されてきたＳＤＡ信号を受信し、受信したＳＤＡ信号を制御部（ＣＰＵ）に供給するか、または何も受信しない。
【０１９８】
また、スイッチ１８５は、シンク機器がソース機器にデータを送信するタイミングにおいて、制御部（ＣＰＵ）から供給されたＳＤＡ信号、または変換部１８４から供給された部分信号を、ＳＤＡライン１９１を介してソース機器に送信する。
【０１９９】
スイッチ１８６には、データを送信するタイミングにおいて、変換部１８４からの、Ｒｘデータに対応する差動信号を構成する部分信号が供給され、データを受信するタイミングにおいて、ソース機器からのＳＣＬ信号が供給される。スイッチ１８６は、切り換え制御部１７２からの制御に基づいて、Ｒｘデータに対応する差動信号を構成する部分信号、またはＳＣＬ信号のうちのいずれかを選択して出力する。
【０２００】
すなわち、スイッチ１８６は、シンク機器がソース機器から送信されてくるデータを受信するタイミングにおいて、ＳＣＬライン１９２を介してソース機器から送信されてきたＳＣＬ信号を受信し、受信したＳＣＬ信号を制御部（ＣＰＵ）に供給するか、または何も受信しない。
【０２０１】
また、スイッチ１８６は、シンク機器がソース機器にデータを送信するタイミングにおいて、変換部１８４から供給された部分信号を、ＳＣＬライン１９２を介してソース機器に送信するか、または何も送信しない。
【０２０２】
切り換え制御部１７２はスイッチ１８５およびスイッチ１８６を制御して、スイッチ１８５およびスイッチ１８６のそれぞれについて、供給される信号のうちのいずれかが選択されるようにスイッチ１８５およびスイッチ１８６を切り換える。
【０２０３】
ところで、ソース機器とシンク機器とがＩＰ通信を行う場合に、半二重通信が可能であるか、全二重通信が可能であるかは、ソース機器およびシンク機器のそれぞれの構成によって定まる。そこで、ソース機器は、シンク機器から受信したＥ−ＥＤＩＤを参照して、半二重通信を行うか、全二重通信を行うか、またはＣＥＣ信号の授受による双方向通信を行うかの判定を行う。
【０２０４】
ソース機器が受信するＥ−ＥＤＩＤは、例えば、図１５に示すように、基本ブロックと拡張ブロックとからなる。
【０２０５】
Ｅ−ＥＤＩＤの基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【０２０６】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【０２０７】
これに対して、拡張ブロックの先頭には、“Ｓｐｅａｋｅｒ  Ａｌｌｏｃａｔｉｏｎ”で表される左右のスピーカに関する情報が配置され、続いて“ＶＩＤＥＯ  ＳＨＯＲＴ”で表される、表示可能な画像サイズ、フレームレート、インターレースであるかプログレッシブであるかを示す情報、アスペクト比などの情報が記述されたデータ、“ＡＵＤＩＯ  ＳＨＯＲＴ”で表される、再生可能な音声コーデック方式、サンプリング周波数、カットオフ帯域、コーデックビット数などの情報が記述されたデータ、および“Ｓｐｅａｋｅｒ  Ａｌｌｏｃａｔｉｏｎ”で表される左右のスピーカに関する情報が順番に配置されている。
【０２０８】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【０２０９】
さらに、“Ｖｅｎｄｅｒ  Ｓｐｅｃｉｆｉｃ”で表されるデータは、図１６に示すデータ構造となっている。すなわち、“Ｖｅｎｄｅｒ  Ｓｐｅｃｉｆｉｃ”で表されるデータには、１バイトのブロックである第０ブロック乃至第Ｎブロックが設けられている。
【０２１０】
“Ｖｅｎｄｅｒ  Ｓｐｅｃｉｆｉｃ”で表されるデータの先頭に配置された第０ブロックには、“Ｖｅｎｄｏｒ−Ｓｐｅｃｉｆｉｃ  ｔａｇ  ｃｏｄｅ（＝３）”で表されるデータ“Ｖｅｎｄｅｒ  Ｓｐｅｃｉｆｉｃ”のデータ領域を示すヘッダ、および“Ｌｅｎｇｔｈ（＝Ｎ）”で表されるデータ“Ｖｅｎｄｅｒ  Ｓｐｅｃｉｆｉｃ”の長さを示す情報が配置される。
【０２１１】
また、第１ブロック乃至第３ブロックには、“２４ｂｉｔ  ＩＥＥＥ  Ｒｅｇｉｓｔｒａｔｉｏｎ  Ｉｄｅｎｔｉｆｉｅｒ（０ｘ０００Ｃ０３）ＬＳＢ  ｆｉｒｓｔ”で表されるＨＤＭＩ（Ｒ）用として登録された番号“０ｘ０００Ｃ０３“を示す情報が配置される。さらに、第４ブロックおよび第５ブロックには、”Ａ“、”Ｂ“、”Ｃ“、および”Ｄ“のそれぞれにより表される、２４ｂｉｔのシンク機器の物理アドレスを示す情報が配置される。
【０２１２】
第６ブロックには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ  Ｖｉｓｕａｌ  Ｉｎｔｅｒｆａｃｅ）に対応しているかを示すフラグが配置されている。
【０２１３】
また、第７ブロックには、“Ｍａｘ−ＴＭＤＳ−Ｃｌｏｃｋ”で表されるＴＭＤＳのピクセルクロックの最大の周波数を示す情報が配置される。さらに、第８ブロックには、“Ｌａｔｅｎｃｙ”で表される映像と音声の遅延情報の有無を示すフラグ、“Ｆｕｌｌ  Ｄｕｐｌｅｘ”で表される全二重通信が可能であるかを示す全二重フラグ、および“Ｈａｌｆ  Ｄｕｐｌｅｘ”で表される半二重通信が可能であるかを示す半二重フラグが配置されている。
【０２１４】
ここで、たとえばセットされている（たとえば“１”に設定されている）全二重フラグは、シンク機器が全二重通信を行う機能を有している、つまり図１４に示した構成とされることを示しており、リセットされている（たとえば“０”に設定されている）全二重フラグは、シンク機器が全二重通信を行う機能を有していないことを示している。
【０２１５】
同様に、セットされている（たとえば“１”に設定されている）半二重フラグは、シンク機器が半二重通信を行う機能を有している、つまり図１３に示した構成とされることを示しており、リセットされている（たとえば“０”に設定されている）半二重フラグは、シンク機器が半二重通信を行う機能を有していないことを示している。
【０２１６】
また、“Ｖｅｎｄｅｒ  Ｓｐｅｃｉｆｉｃ”で表されるデータの第９ブロックには、“Ｖｉｄｅｏ  Ｌａｔｅｎｃｙ”で表されるプログレッシブの映像の遅延時間データが配置され、第１０ブロックには、“Ａｕｄｉｏ  Ｌａｔｅｎｃｙ”で表される、プログレッシブの映像に付随する音声の遅延時間データが配置される。さらに、第１１ブロックには、“Ｉｎｔｅｒｌａｃｅｄ  Ｖｉｄｅｏ  Ｌａｔｅｎｃｙ”で表されるインターレースの映像の遅延時間データが配置され、第１２ブロックには、“Ｉｎｔｅｒｌａｃｅｄ  Ａｕｄｉｏ  Ｌａｔｅｎｃｙ”で表される、インターレースの映像に付随する音声の遅延時間データが配置される。
【０２１７】
ソース機器は、シンク機器から受信したＥ−ＥＤＩＤに含まれている全二重フラグおよび半二重フラグに基づいて、半二重通信を行うか、全二重通信を行うか、またはＣＥＣ信号の授受による双方向通信を行うかの判定を行い、その判定結果にしたがって、シンク機器との双方向の通信を行う。
【０２１８】
例えば、ソース機器が図１３に示した構成とされている場合、ソース機器は、図１３に示したシンク機器とは半二重通信を行うことができるが、図１４に示したシンク機器とは半二重通信を行うことができない。そこで、ソース機器は、ソース機器の電源がオンされると通信処理を開始し、ソース機器に接続されたシンク機器の有する機能に応じた双方向の通信を行う。
【０２１９】
以下、図１７のフローチャートを参照して、図１３に示したソース機器による通信処理について説明する。
【０２２０】
ステップＳ１１において、ソース機器は、ソース機器に新たな電子機器が接続されたか否かを判定する。例えば、ソース機器は、ＨＰＤライン８６が接続されるＨｏｔ  Ｐｌｕｇ  Ｄｅｔｅｃｔと呼ばれるピンに対して付加された電圧の大きさに基づいて、新たな電子機器（シンク機器）が接続されたか否かを判定する。
【０２２１】
ステップＳ１１において、新たな電子機器が接続されていないと判定された場合、通信は行われないので、通信処理は終了する。これに対して、ステップＳ１１において、新たな電子機器が接続されたと判定された場合、ステップＳ１２において、切り換え制御部１２１はスイッチ１３３を制御し、データの送信時においてソース機器の制御部（ＣＰＵ）からのＣＥＣ信号が選択され、データの受信時においてシンク機器からのＣＥＣ信号が選択されるように、スイッチ１３３を切り換える。
【０２２２】
ステップＳ１３において、ソース機器は、ＤＤＣ８３を介してシンク機器から送信されてきたＥ−ＥＤＩＤを受信する。すなわち、シンク機器は、ソース機器の接続を検出するとＥＤＩＤＲＯＭ８５からＥ−ＥＤＩＤを読み出し、読み出したＥ−ＥＤＩＤを、ＤＤＣ８３を介してソース機器に送信するので、ソース機器は、シンク機器から送信されてきたＥ−ＥＤＩＤを受信する。
【０２２３】
ステップＳ１４において、ソース機器は、シンク機器との半二重通信が可能であるか否かを判定する。すなわち、ソース機器は、シンク機器から受信したＥ−ＥＤＩＤを参照して、図１６の半二重フラグ“Ｈａｌｆ  Ｄｕｐｌｅｘ”がセットされているか否かを判定し、例えば、半二重フラグがセットされている場合、ソース機器は、半二重通信方式による双方向のＩＰ通信、つまり半二重通信が可能であると判定する。
【０２２４】
ステップＳ１４において、半二重通信が可能であると判定された場合、ステップＳ１５において、ソース機器は、双方向の通信に用いるチャネルを示すチャネル情報として、ＣＥＣライン８４およびリザーブライン８８を用いた半二重通信方式によるＩＰ通信を行う旨の信号を、スイッチ１３３およびＣＥＣライン８４を介してシンク機器に送信する。
【０２２５】
すなわち、半二重フラグがセットされている場合、ソース機器は、シンク機器が図１３に示した構成であり、ＣＥＣライン８４およびリザーブライン８８を用いた半二重通信が可能であることが分かるので、チャネル情報をシンク機器に送信して、半二重通信を行う旨を通知する。
【０２２６】
ステップＳ１６において、切り換え制御部１２１はスイッチ１３３を制御し、データの送信時において変換部１３１からのＴｘデータに対応する差動信号が選択され、データの受信時においてシンク機器からのＲｘデータに対応する差動信号が選択されるように、スイッチ１３３を切り換える。
【０２２７】
ステップＳ１７において、ソース機器の各部は、半二重通信方式により、シンク機器との双方向のＩＰ通信を行い、通信処理は終了する。すなわち、データの送信時において、変換部１３１は、制御部（ＣＰＵ）から供給されたＴｘデータを差動信号に変換し、変換により得られた差動信号を構成する部分信号のうちの一方をスイッチ１３３に供給し、他方の部分信号をリザーブライン８８を介してシンク機器に送信する。スイッチ１３３は、変換部１３１から供給された部分信号を、ＣＥＣライン８４を介してシンク機器に送信する。これにより、Ｔｘデータに対応する差動信号が、ソース機器からシンク機器に送信される。
【０２２８】
また、データの受信時において、復号部１３２は、シンク機器から送信されてきたＲｘデータに対応する差動信号を受信する。すなわち、スイッチ１３３は、ＣＥＣライン８４を介してシンク機器から送信されてきた、Ｒｘデータに対応する差動信号の部分信号を受信し、受信した部分信号を復号部１３２に供給する。復号部１３２は、スイッチ１３３から供給された部分信号、およびリザーブライン８８を介してシンク機器から供給された部分信号からなる差動信号を、タイミング制御部１２２の制御に基づいて、元のデータであるＲｘデータに復号し、制御部（ＣＰＵ）に出力する。
【０２２９】
これにより、ソース機器は、シンク機器と制御データや画素データ、音声データなど、各種のデータの授受を行う。
【０２３０】
また、ステップＳ１４において、半二重通信が可能でないと判定された場合、ステップＳ１８において、ソース機器は、ＣＥＣ信号の送受信を行うことで、シンク機器との双方向の通信を行い、通信処理は終了する。
【０２３１】
すなわち、データの送信時において、ソース機器は、スイッチ１３３およびＣＥＣライン８４を介して、ＣＥＣ信号をシンク機器に送信し、データの受信時において、ソース機器は、スイッチ１３３およびＣＥＣライン８４を介してシンク機器から送信されてきたＣＥＣ信号を受信することで、シンク機器との制御データの授受を行う。
【０２３２】
このようにして、ソース機器は、半二重フラグを参照し、半二重通信が可能なシンク機器と、ＣＥＣライン８４およびリザーブライン８８を用いて半二重通信を行う。
【０２３３】
このように、スイッチ１３３を切り換えて送信するデータ、および受信するデータを選択し、シンク機器と、ＣＥＣライン８４およびリザーブラインを用いた半二重通信、つまり半二重通信方式によるＩＰ通信を行うことで、従来のＨＤＭＩとの互換性を保ちつつ、高速の双方向通信を行うことができる。
【０２３４】
また、ソース機器と同様に、シンク機器も、電源がオンされると通信処理を開始し、ソース機器との双方向の通信を行う。
【０２３５】
以下、図１８のフローチャートを参照して、図１３に示したシンク機器による通信処理について説明する。
【０２３６】
ステップＳ４１において、シンク機器は、シンク機器に新たな電子機器（ソース機器）が接続されたか否かを判定する。例えば、シンク機器は、ＨＰＤライン８６が接続されたＨｏｔ  Ｐｌｕｇ  Ｄｅｔｅｃｔと呼ばれるピンに対して付加された電圧の大きさに基づいて、新たな電子機器が接続されたか否かを判定する。
【０２３７】
ステップＳ４１において、新たな電子機器が接続されていないと判定された場合、通信は行われないので、通信処理は終了する。これに対して、ステップＳ４１において、新たな電子機器が接続されたと判定された場合、ステップＳ４２において、切り換え制御部１２４はスイッチ１３５を制御し、データの送信時において、シンク機器の制御部（ＣＰＵ）からのＣＥＣ信号が選択され、データの受信時においてソース機器からのＣＥＣ信号が選択されるように、スイッチ１３５を切り換える。
【０２３８】
ステップＳ４３において、シンク機器は、ＥＤＩＤＲＯＭ８５からＥ−ＥＤＩＤを読み出し、読み出したＥ−ＥＤＩＤを、ＤＤＣ８３を介してソース機器に送信する。
【０２３９】
ステップＳ４４において、シンク機器は、ソース機器から送信されてきたチャネル情報を受信したか否かを判定する。
【０２４０】
すなわち、ソース機器からは、ソース機器およびシンク機器が有する機能に応じて、双方向の通信のチャネルを示すチャネル情報が送信されてくる。例えば、ソース機器が図１３に示すように構成される場合、ソース機器とシンク機器とは、ＣＥＣライン８４およびリザーブライン８８を用いた半二重通信が可能である。そのため、ソース機器からシンク機器には、ＣＥＣライン８４およびリザーブライン８８を用いたＩＰ通信を行う旨のチャネル情報が送信されてくる。シンク機器は、スイッチ１３５およびＣＥＣライン８４を介してソース機器から送信されてきたチャネル情報を受信し、チャネル情報を受信したと判定する。
【０２４１】
これに対して、ソース機器が半二重通信を行う機能を有していない場合、ソース機器からシンク機器には、チャネル情報が送信されてこないので、シンク機器は、チャネル情報を受信していないと判定する。
【０２４２】
ステップＳ４４において、チャネル情報を受信したと判定された場合、処理はステップＳ４５に進み、切り換え制御部１２４は、スイッチ１３５を制御し、データの送信時において変換部１３４からのＲｘデータに対応する差動信号が選択され、データの受信時においてソース機器からのＴｘデータに対応する差動信号が選択されるように、スイッチ１３５を切り換える。
【０２４３】
ステップＳ４６において、シンク機器は、半二重通信方式により、ソース機器との双方向のＩＰ通信を行い、通信処理は終了する。すなわち、データの送信時において、変換部１３４は、タイミング制御部１２３の制御に基づいて、シンク機器の制御部（ＣＰＵ）から供給されたＲｘデータを差動信号に変換し、変換により得られた差動信号を構成する部分信号のうちの一方をスイッチ１３５に供給し、他方の部分信号をリザーブライン８８を介してソース機器に送信する。スイッチ１３５は、変換部１３４から供給された部分信号を、ＣＥＣライン８４を介してソース機器に送信する。これにより、Ｒｘデータに対応する差動信号がシンク機器からソース機器に送信される。
【０２４４】
また、データの受信時において、復号部１３６は、ソース機器から送信されてきたＴｘデータに対応する差動信号を受信する。すなわち、スイッチ１３５は、ＣＥＣライン８４を介してソース機器から送信されてきた、Ｔｘデータに対応する差動信号の部分信号を受信し、受信した部分信号を復号部１３６に供給する。復号部１３６は、スイッチ１３５から供給された部分信号、およびリザーブライン８８を介してソース機器から供給された部分信号からなる差動信号を元のデータであるＴｘデータに復号し、制御部（ＣＰＵ）に出力する。
【０２４５】
これにより、シンク機器は、ソース機器と制御データや画素データ、音声データなど、各種のデータの授受を行う。
【０２４６】
また、ステップＳ４４において、チャネル情報を受信していないと判定された場合、ステップＳ４７において、シンク機器は、ＣＥＣ信号の送受信を行うことでソース機器との双方向の通信を行い、通信処理は終了する。
【０２４７】
すなわち、データの送信時において、シンク機器は、スイッチ１３５およびＣＥＣライン８４を介して、ＣＥＣ信号をソース機器に送信し、データの受信時において、シンク機器は、スイッチ１３５およびＣＥＣライン８４を介してソース機器から送信されてきたＣＥＣ信号を受信することで、ソース機器との制御データの授受を行う。
【０２４８】
このようにして、シンク機器は、チャネル情報を受信すると、シンク機器と、ＣＥＣライン８４およびリザーブライン８８を用いて半二重通信を行う。
【０２４９】
このように、シンク機器がスイッチ１３５を切り換えて送信するデータ、および受信するデータを選択し、ソース機器とＣＥＣライン８４およびリザーブライン８８を用いた半二重通信を行うことで、従来のＨＤＭＩとの互換性を保ちつつ、高速の双方向通信を行うことができる。
【０２５０】
また、ソース機器が図１４に示す構成とされる場合、ソース機器は、通信処理において、Ｅ−ＥＤＩＤに含まれる全二重フラグに基づいてシンク機器が全二重通信を行う機能を有しているかを判定し、その判定結果に応じた双方向の通信を行う。
【０２５１】
以下、図１９のフローチャートを参照して、図１４に示したソース機器による通信処理について説明する。
【０２５２】
ステップＳ７１において、ソース機器は、ソース機器に新たな電子機器が接続されたか否かを判定する。ステップＳ７１において、新たな電子機器が接続されていないと判定された場合、通信は行われないので、通信処理は終了する。
【０２５３】
これに対して、ステップＳ７１において、新たな電子機器が接続されたと判定された場合、ステップＳ７２において、切り換え制御部１７１は、スイッチ１８１およびスイッチ１８２を制御し、データの送信時において、スイッチ１８１によりソース機器の制御部（ＣＰＵ）からのＳＤＡ信号が選択され、スイッチ１８２によりソース機器の制御部（ＣＰＵ）からのＳＣＬ信号が選択され、さらにデータの受信時において、スイッチ１８１によりシンク機器からのＳＤＡ信号が選択されるように、スイッチ１８１およびスイッチ１８２を切り換える。
【０２５４】
ステップＳ７３において、切り換え制御部１２１はスイッチ１３３を制御し、データの送信時においてソース機器の制御部（ＣＰＵ）からのＣＥＣ信号が選択され、データの受信時においてシンク機器からのＣＥＣ信号が選択されるように、スイッチ１３３を切り換える。
【０２５５】
ステップＳ７４において、ソース機器は、ＤＤＣ８３のＳＤＡライン１９１を介してシンク機器から送信されてきたＥ−ＥＤＩＤを受信する。すなわち、シンク機器は、ソース機器の接続を検出するとＥＤＩＤＲＯＭ８５からＥ−ＥＤＩＤを読み出し、読み出したＥ−ＥＤＩＤを、ＤＤＣ８３のＳＤＡライン１９１を介してソース機器に送信するので、ソース機器は、シンク機器から送信されてきたＥ−ＥＤＩＤを受信する。
【０２５６】
ステップＳ７５において、ソース機器は、シンク機器との全二重通信が可能であるか否かを判定する。すなわち、ソース機器は、シンク機器から受信したＥ−ＥＤＩＤを参照して、図２６の全二重フラグ“Ｆｕｌｌ  Ｄｕｐｌｅｘ”がセットされているか否かを判定し、たとえば全二重フラグがセットされている場合、ソース機器は、全二重通信方式による双方向のＩＰ通信、つまり全二重通信が可能であると判定する。
【０２５７】
ステップＳ７５において、全二重通信が可能であると判定された場合、ステップＳ７６において、切り換え制御部１７１は、スイッチ１８１およびスイッチ１８２を制御し、データの受信時において、シンク機器からのＲｘデータに対応する差動信号が選択されるようにスイッチ１８１およびスイッチ１８２を切り換える。
【０２５８】
すなわち、切り換え制御部１７１は、データの受信時において、シンク機器から送信されてくる、Ｒｘデータに対応した差動信号を構成する部分信号のうち、ＳＤＡライン１９１を介して送信されてくる部分信号がスイッチ１８１により選択され、ＳＣＬライン１９２を介して送信されてくる部分信号がスイッチ１８２により選択されるように、スイッチ１８１およびスイッチ１８２を切り換える。
【０２５９】
ＤＤＣ８３を構成するＳＤＡライン１９１およびＳＣＬライン１９２は、シンク機器からソース機器にＥ−ＥＤＩＤが送信された後は利用されないので、つまりＳＤＡライン１９１およびＳＣＬライン１９２を介したＳＤＡ信号やＳＣＬ信号の送受信は行われないので、スイッチ１８１およびスイッチ１８２を切り換えて、ＳＤＡライン１９１およびＳＣＬライン１９２を、全二重通信によるＲｘデータの伝送路として利用することができる。
【０２６０】
ステップＳ７７において、ソース機器は、双方向の通信のチャネルを示すチャネル情報として、ＣＥＣライン８４およびリザーブライン８８と、ＳＤＡライン１９１およびＳＣＬライン１９２とを用いた全二重通信方式によるＩＰ通信を行う旨の信号を、スイッチ１３３およびＣＥＣライン８４を介してシンク機器に送信する。
【０２６１】
すなわち、全二重フラグがセットされている場合、ソース機器は、シンク機器が図２４に示した構成であり、ＣＥＣライン８４およびリザーブライン８８と、ＳＤＡライン１９１およびＳＣＬライン１９２とを用いた全二重通信が可能であることが分かるので、チャネル情報をシンク機器に送信して、全二重通信を行う旨を通知する。
【０２６２】
ステップＳ７８において、切り換え制御部１２１はスイッチ１３３を制御し、データの送信時において変換部１３１からのＴｘデータに対応する差動信号が選択されるように、スイッチ１３３を切り換える。すなわち、切り換え制御部１２１は、変換部１３１からスイッチ１３３に供給された、Ｔｘデータに対応する差動信号の部分信号が選択されるようにスイッチ１３３を切り換える。
【０２６３】
ステップＳ７９において、ソース機器は、全二重通信方式により、シンク機器との双方向のＩＰ通信を行い、通信処理は終了する。すなわち、データの送信時において、変換部１３１は、ソース機器の制御部（ＣＰＵ）から供給されたＴｘデータを差動信号に変換し、変換により得られた差動信号を構成する部分信号のうちの一方をスイッチ１３３に供給し、他方の部分信号をリザーブライン８８を介してシンク機器に送信する。スイッチ１３３は、変換部１３１から供給された部分信号を、ＣＥＣライン８４を介してシンク機器に送信する。これにより、Ｔｘデータに対応する差動信号がソース機器からシンク機器に送信される。
【０２６４】
また、データの受信時において、復号部１８３は、シンク機器から送信されてきたＲｘデータに対応する差動信号を受信する。すなわち、スイッチ１８１は、ＳＤＡライン１９１を介してシンク機器から送信されてきた、Ｒｘデータに対応する差動信号の部分信号を受信し、受信した部分信号を復号部１８３に供給する。また、スイッチ１８２は、ＳＣＬライン１９２を介してシンク機器から送信されてきた、Ｒｘデータに対応する差動信号の他方の部分信号を受信し、受信した部分信号を復号部１８３に供給する。復号部１８３は、スイッチ１８１およびスイッチ１８２から供給された部分信号からなる差動信号を、元のデータであるＲｘデータに復号し、制御部（ＣＰＵ）に出力する。
【０２６５】
これにより、ソース機器は、シンク機器と制御データや画素データ、音声データなど、各種のデータの授受を行う。
【０２６６】
また、ステップＳ７５において、全二重通信が可能でないと判定された場合、ステップＳ８０において、ソース機器は、ＣＥＣ信号の送受信を行うことでシンク機器との双方向の通信を行い、通信処理は終了する。
【０２６７】
すなわち、データの送信時において、ソース機器は、スイッチ１３３およびＣＥＣライン８４を介して、ＣＥＣ信号をシンク機器に送信し、データの受信時において、ソース機器は、スイッチ１３３およびＣＥＣライン８４を介してシンク機器から送信されてきたＣＥＣ信号を受信することで、シンク機器との制御データの授受を行う。
【０２６８】
このようにして、ソース機器は、全二重フラグを参照し、全二重通信が可能なシンク機器と、ＣＥＣライン８４およびリザーブライン８８、並びにＳＤＡライン１９１およびＳＣＬライン１９２を用いて全二重通信を行う。
【０２６９】
このように、スイッチ１３３、スイッチ１８１、およびスイッチ１８２を切り換えて送信するデータ、および受信するデータを選択し、シンク機器とＣＥＣライン８４およびリザーブライン８８、並びにＳＤＡライン１９１およびＳＣＬライン１９２を用いた全二重通信を行うことで、従来のＨＤＭＩとの互換性を保ちつつ、高速の双方向通信を行うことができる。
【０２７０】
また、シンク機器が図１４に示した構成とされる場合においても、シンク機器は、図１３に示したシンク機器における場合と同様に、通信処理を行って、ソース機器との双方向の通信を行う。
【０２７１】
以下、図２０のフローチャートを参照して、図１４に示したシンク機器による通信処理について説明する。
【０２７２】
ステップＳ１１１において、シンク機器は、シンク機器に新たな電子機器（ソース機器）が接続されたか否かを判定する。ステップＳ１１１において、新たな電子機器が接続されていないと判定された場合、通信は行われないので、通信処理は終了する。
【０２７３】
これに対して、ステップＳ１１１において、新たな電子機器が接続されたと判定された場合、ステップＳ１１２において、切り換え制御部１７２は、スイッチ１８５およびスイッチ１８６を制御し、データの送信時において、スイッチ１８５によりシンク機器の制御部（ＣＰＵ）からのＳＤＡ信号が選択され、さらにデータの受信時において、スイッチ１８５によりソース機器からのＳＤＡ信号が選択され、スイッチ１８６によりソース機器からのＳＣＬ信号が選択されるように、スイッチ１８５およびスイッチ１８６を切り換える。
【０２７４】
ステップＳ１１３において、切り換え制御部１２４はスイッチ１３５を制御し、データの送信時においてシンク機器の制御部（ＣＰＵ）からのＣＥＣ信号が選択され、データの受信時においてソース機器からのＣＥＣ信号が選択されるように、スイッチ１３５を切り換える。
【０２７５】
ステップＳ１１４において、シンク機器は、ＥＤＩＤＲＯＭ８５からＥ−ＥＤＩＤを読み出し、読み出したＥ−ＥＤＩＤを、スイッチ１８５およびＤＤＣ８３のＳＤＡライン１９１を介してソース機器に送信する。
【０２７６】
ステップＳ１１５において、シンク機器は、ソース機器から送信されてきたチャネル情報を受信したか否かを判定する。
【０２７７】
すなわち、ソース機器からは、ソース機器およびシンク機器が有する機能に応じて、双方向の通信のチャネルを示すチャネル情報が送信されてくる。例えば、ソース機器が図１４に示すように構成される場合、ソース機器とシンク機器とは全二重通信が可能であるので、ソース機器からシンク機器には、ＣＥＣライン８４およびリザーブライン８８と、ＳＤＡライン１９１およびＳＣＬライン１９２とを用いた全二重通信方式によるＩＰ通信を行う旨のチャネル情報が送信されてくるので、シンク機器は、スイッチ１３５およびＣＥＣライン８４を介してソース機器から送信されてきたチャネル情報を受信し、チャネル情報を受信したと判定する。
【０２７８】
これに対して、ソース機器が全二重通信を行う機能を有していない場合、ソース機器からシンク機器には、チャネル情報が送信されてこないので、シンク機器は、チャネル情報を受信していないと判定する。
【０２７９】
ステップＳ１１５において、チャネル情報を受信したと判定された場合、処理はステップＳ１１６に進み、切り換え制御部１７２は、スイッチ１８５およびスイッチ１８６を制御し、データの送信時において変換部１８４からのＲｘデータに対応する差動信号が選択されるように、スイッチ１８５およびスイッチ１８６を切り換える。
【０２８０】
ステップＳ１１７において、切り換え制御部１２４は、スイッチ１３５を制御し、データの受信時においてソース機器からのＴｘデータに対応する差動信号が選択されるように、スイッチ１３５を切り換える。
【０２８１】
ステップＳ１１８において、シンク機器は、全二重通信方式により、ソース機器との双方向のＩＰ通信を行い、通信処理は終了する。すなわち、データの送信時において、変換部１８４は、シンク機器の制御部（ＣＰＵ）から供給されたＲｘデータを差動信号に変換し、変換により得られた差動信号を構成する部分信号のうちの一方をスイッチ１８５に供給し、他方の部分信号をスイッチ１８６に供給する。スイッチ１８５およびスイッチ１８６は、変換部１８４から供給された部分信号を、ＳＤＡライン１９１およびＳＣＬライン１９２を介してソース機器に送信する。これにより、Ｒｘデータに対応する差動信号がシンク機器からソース機器に送信される。
【０２８２】
また、データの受信時において、復号部１３６は、ソース機器から送信されてきたＴｘデータに対応する差動信号を受信する。すなわち、スイッチ１３５は、ＣＥＣライン８４を介してソース機器から送信されてきた、Ｔｘデータに対応する差動信号の部分信号を受信し、受信した部分信号を復号部１３６に供給する。復号部１３６は、スイッチ１３５から供給された部分信号、およびリザーブライン８８を介してソース機器から供給された部分信号からなる差動信号を元のデータであるＴｘデータに復号し、制御部（ＣＰＵ）に出力する。
【０２８３】
これにより、シンク機器は、ソース機器と制御データや画素データ、音声データなど、各種のデータの授受を行う。
【０２８４】
また、ステップＳ１１５において、チャネル情報を受信していないと判定された場合、ステップＳ１１９において、シンク機器は、ＣＥＣ信号の送受信を行うことでソース機器との双方向の通信を行い、通信処理は終了する。
【０２８５】
このようにして、シンク機器は、チャネル情報を受信すると、シンク機器と、ＣＥＣライン８４およびリザーブライン８８、並びにＳＤＡライン１９１およびＳＣＬライン１９２を用いて全二重通信を行う。
【０２８６】
このように、シンク機器がスイッチ１３５、スイッチ１８５、およびスイッチ１８６を切り換えて送信するデータ、および受信するデータを選択し、ソース機器とＣＥＣライン８４およびリザーブライン８８、並びにＳＤＡライン１９１およびＳＣＬライン１９２を用いた全二重通信を行うことで、従来のＨＤＭＩとの互換性を保ちつつ、高速の双方向通信を行うことができる。
【０２８７】
なお、図１４の例では、ソース機器は、ＣＥＣライン８４およびリザーブライン８８に変換部１３１が接続され、ＳＤＡライン１９１およびＳＣＬライン１９２に復号部１８３が接続された構成とされているが、ＣＥＣライン８４およびリザーブライン８８に復号部１８３が接続され、ＳＤＡライン１９１およびＳＣＬライン１９２に変換部１３１が接続された構成とされてもよい。
【０２８８】
そのような場合、スイッチ１８１およびスイッチ１８２がＣＥＣライン８４およびリザーブライン８８に接続されるとともに復号部１８３に接続され、スイッチ１３３がＳＤＡライン１９１に接続されるとともに変換部１３１に接続される。
【０２８９】
また、図１４のシンク機器についても同様に、ＣＥＣライン８４およびリザーブライン８８に変換部１８４が接続され、ＳＤＡライン１９１およびＳＣＬライン１９２に復号部１３６が接続された構成とされてもよい。そのような場合、スイッチ１８５およびスイッチ１８６がＣＥＣライン８４およびリザーブライン８８に接続されるとともに変換部１８４に接続され、スイッチ１３５がＳＤＡライン１９１に接続されるとともに復号部１３６に接続される。
【０２９０】
さらに、図１３において、ＣＥＣライン８４およびリザーブライン８８が、ＳＤＡライン１９１およびＳＣＬライン１９２とされてもよい。つまり、ソース機器の変換部１３１および復号部１３２と、シンク機器の変換部１３４および復号部１３６とがＳＤＡライン１９１およびＳＣＬライン１９２に接続され、ソース機器とシンク機器とが半二重通信方式によるＩＰ通信を行うようにしてもよい。さらに、この場合、リザーブライン８８を用いて電子機器の接続を検出するようにしてもよい。
【０２９１】
さらに、ソース機器およびシンク機器のそれぞれが、半二重通信を行う機能、および全二重通信を行う機能の両方を有するようにしてもよい。そのような場合、ソース機器およびシンク機器は、接続された電子機器の有する機能に応じて、半二重通信方式または全二重通信方式によるＩＰ通信を行うことができる。
【０２９２】
ソース機器およびシンク機器のそれぞれが、半二重通信を行う機能、および全二重通信を行う機能の両方を有する場合、ソース機器およびシンク機器は、例えば、図２１に示すように構成される。なお、図２１において、図１３または図１４における場合と対応する部分には、同一の符号を付してあり、その説明は適宜省略する。
【０２９３】
ソース機器の高速データラインインタフェース１２Ａは、変換部１３１、復号部１３２、スイッチ１３３、スイッチ１８１、スイッチ１８２、復号部１８３、切り換え制御部１２１、タイミング制御部１２２、および切り換え制御部１７１を有している。すなわち、図２１のソース機器における高速データラインインタフェース１２Ａは、図１４に示したソース機器における高速データラインインタフェース１２Ａに、図１３のタイミング制御部１２２および復号部１３２がさらに設けられた構成とされている。
【０２９４】
また、図２１に示すシンク機器の高速データラインインタフェース１２Ａは、変換部１３４、スイッチ１３５、復号部１３６、変換部１８４、スイッチ１８５、スイッチ１８６、タイミング制御部１２３、切り換え制御部１２４、および切り換え制御部１７２を有している。すなわち、図２１のシンク機器は、図１４に示したシンク機器に、図１３のタイミング制御部１２３および変換部１３４がさらに設けられた構成とされている。
【０２９５】
次に、図２１のソース機器およびシンク機器による通信処理について説明する。
【０２９６】
まず、図２２のフローチャートを参照して、図２１のソース機器による通信処理について説明する。なお、ステップＳ１５１乃至ステップＳ１５４の処理のそれぞれは、図１９のステップＳ７１乃至ステップＳ７４の処理のそれぞれと同様であるので、その説明は省略する。
【０２９７】
ステップＳ１５５において、ソース機器は、シンク機器との全二重通信が可能であるか否かを判定する。すなわち、ソース機器は、シンク機器から受信したＥ−ＥＤＩＤを参照して、図１６の全二重フラグ“Ｆｕｌｌ  Ｄｕｐｌｅｘ”がセットされているか否かを判定する。
【０２９８】
ステップＳ１５５において、全二重通信が可能であると判定された場合、すなわち図２１、または図１４に示したシンク機器がソース機器に接続されている場合、ステップＳ１５６において、切り換え制御部１７１は、スイッチ１８１およびスイッチ１８２を制御し、データの受信時において、シンク機器からのＲｘデータに対応する差動信号が選択されるようにスイッチ１８１およびスイッチ１８２を切り換える。
【０２９９】
一方、ステップＳ１５５において、全二重通信が可能でないと判定された場合、ステップＳ１５７において、ソース機器は、半二重通信が可能であるか否かを判定する。すなわち、ソース機器は、受信したＥ−ＥＤＩＤを参照して、図１６の半二重フラグ“Ｈａｌｆ  Ｄｕｐｌｅｘ”がセットされているか否かを判定する。換言すれば、ソース機器は、図１３に示したシンク機器がソース機器に接続されたか否かを判定する。
【０３００】
ステップＳ１５７において、半二重通信が可能であると判定された場合、またはステップＳ１５６において、スイッチ１８１およびスイッチ１８２が切り換えられた場合、ステップＳ１５８において、ソース機器は、チャネル情報を、スイッチ１３３およびＣＥＣライン８４を介してシンク機器に送信する。
【０３０１】
ここで、ステップＳ１５５において全二重通信が可能であると判定された場合には、シンク機器は、全二重通信を行う機能を有しているので、ソース機器は、チャネル情報として、ＣＥＣライン８４およびリザーブライン８８と、ＳＤＡライン１９１およびＳＣＬライン１９２とを用いたＩＰ通信を行う旨の信号を、スイッチ１３３およびＣＥＣライン８４を介してシンク機器に送信する。
【０３０２】
また、ステップＳ１５７において半二重通信が可能であると判定された場合には、シンク機器は、全二重通信を行う機能は有していないが、半二重通信を行う機能を有しているので、ソース機器は、チャネル情報として、ＣＥＣライン８４およびリザーブライン８８を用いたＩＰ通信を行う旨の信号を、スイッチ１３３およびＣＥＣライン８４を介してシンク機器に送信する。
【０３０３】
ステップＳ１５９において、切り換え制御部１２１は、スイッチ１３３を制御し、データの送信時において変換部１３１からのＴｘデータに対応する差動信号が選択され、データの受信時においてシンク機器から送信されてくるＲｘデータに対応する差動信号が選択されるように、スイッチ１３３を切り換える。なお、ソース機器とシンク機器とが全二重通信を行う場合には、ソース機器におけるデータの受信時には、シンク機器から、ＣＥＣライン８４およびリザーブライン８８を介してＲｘデータに対応する差動信号は送信されてこないので、復号部１３２には、Ｒｘデータに対応する差動信号は供給されない。
【０３０４】
ステップＳ１６０において、ソース機器は、シンク機器との双方向のＩＰ通信を行い、通信処理は終了する。
【０３０５】
すなわち、ソース機器がシンク機器と全二重通信を行う場合、および半二重通信を行う場合、データの送信時において、変換部１３１は、ソース機器の制御部（ＣＰＵ）から供給されたＴｘデータを差動信号に変換し、変換により得られた差動信号を構成する部分信号のうちの一方をスイッチ１３３およびＣＥＣライン８４を介してシンク機器に送信し、他方の部分信号をリザーブライン８８を介してシンク機器に送信する。
【０３０６】
また、ソース機器がシンク機器と全二重通信を行う場合、データの受信時において、復号部１８３は、シンク機器から送信されてきたＲｘデータに対応する差動信号を受信し、受信した差動信号を、元のデータであるＲｘデータに復号して、制御部（ＣＰＵ）に出力する。
【０３０７】
これに対して、ソース機器がシンク機器と半二重通信を行う場合、データの受信時において、復号部１３２は、タイミング制御部１２２の制御に基づいて、シンク機器から送信されてきたＲｘデータに対応する差動信号を受信し、受信した差動信号を、元のデータであるＲｘデータに復号して、制御部（ＣＰＵ）に出力する。
【０３０８】
これにより、ソース機器は、シンク機器と制御データや画素データ、音声データなど、各種のデータの授受を行う。
【０３０９】
また、ステップＳ１５７において、半二重通信が可能でないと判定された場合、ステップＳ１６１において、ソース機器は、ＣＥＣライン８４を介してＣＥＣ信号の送受信を行うことでシンク機器との双方向の通信を行い、通信処理は終了する。
【０３１０】
このようにして、ソース機器は、全二重フラグおよび半二重フラグを参照し、通信相手であるシンク機器の有する機能に応じて、全二重通信または半二重通信を行う。
【０３１１】
このように、通信相手であるシンク機器の有する機能に応じて、スイッチ１３３、スイッチ１８１、およびスイッチ１８２を切り換えて送信するデータ、および受信するデータを選択し、全二重通信または半二重通信を行うことで、従来のＨＤＭＩとの互換性を保ちつつ、より最適な通信方法を選択して、高速の双方向通信を行うことができる。
【０３１２】
次に、図２３のフローチャートを参照して、図２１のシンク機器による通信処理について説明する。なお、ステップＳ１９１乃至ステップＳ１９４の処理のそれぞれは、図２０のステップＳ１１１乃至ステップＳ１１４の処理のそれぞれと同様であるので、その説明は省略する。
【０３１３】
ステップＳ１９５において、シンク機器は、スイッチ１３５およびＣＥＣライン８４を介してソース機器から送信されてきたチャネル情報を受信する。なお、シンク機器に接続されているソース機器が、全二重通信を行う機能も、半二重通信を行う機能も有していない場合には、ソース機器からシンク機器には、チャネル情報は送信されてこないので、シンク機器は、チャネル情報を受信しない。
【０３１４】
ステップＳ１９６において、シンク機器は、受信したチャネル情報に基づいて、全二重通信を行うか否かを判定する。たとえば、シンク機器は、ＣＥＣライン８４およびリザーブライン８８と、ＳＤＡライン１９１およびＳＣＬライン１９２とを用いたＩＰ通信を行う旨のチャネル情報を受信した場合、全二重通信を行うと判定する。
【０３１５】
ステップＳ１９６において、全二重通信を行うと判定された場合、ステップＳ１９７において、切り換え制御部１７２は、スイッチ１８５およびスイッチ１８６を制御し、データの送信時において変換部１８４からのＲｘデータに対応する差動信号が選択されるように、スイッチ１８５およびスイッチ１８６を切り換える。
【０３１６】
また、ステップＳ１９６において、全二重通信を行わないと判定された場合、ステップＳ１９８において、シンク機器は、受信したチャネル情報に基づいて、半二重通信を行うか否かを判定する。たとえば、シンク機器は、ＣＥＣライン８４およびリザーブライン８８を用いたＩＰ通信を行う旨のチャネル情報を受信した場合、半二重通信を行うと判定する。
【０３１７】
ステップＳ１９８において、半二重通信を行うと判定されるか、またはステップＳ１９７においてスイッチ１８５およびスイッチ１８６が切り換えられた場合、ステップＳ１９９において、切り換え制御部１２４は、スイッチ１３５を制御し、データの送信時において、変換部１３４からのＲｘデータに対応する差動信号が選択され、データの受信時においてソース機器からのＴｘデータに対応する差動信号が選択されるように、スイッチ１３５を切り換える。
【０３１８】
なお、ソース機器とシンク機器とが全二重通信を行う場合、シンク機器におけるデータの送信時には、変換部１３４からトランスミッタ８１にＲｘデータに対応する差動信号が送信されないので、スイッチ１３５には、Ｒｘデータに対応する差動信号は供給されない。
【０３１９】
ステップＳ２００において、シンク機器は、ソース機器との双方向のＩＰ通信を行い、通信処理は終了する。
【０３２０】
すなわち、シンク機器がソース機器と全二重通信を行う場合、データの送信時において、変換部１８４は、シンク機器の制御部（ＣＰＵ）から供給されたＲｘデータを差動信号に変換し、変換により得られた差動信号を構成する部分信号のうちの一方を、スイッチ１８５およびＳＤＡライン１９１を介してソース機器に送信し、他方の部分信号をスイッチ１８６およびＳＣＬライン１９２を介してソース機器に送信する。
【０３２１】
また、シンク機器がソース機器と半二重通信を行う場合、データの送信時において、変換部１３４は、シンク機器の制御部（ＣＰＵ）から供給されたＲｘデータを差動信号に変換し、変換により得られた差動信号を構成する部分信号のうちの一方を、スイッチ１３５およびＣＥＣライン８４を介してトランスミッタ８１に送信し、他方の部分信号をリザーブライン８８を介してソース機器に送信する。
【０３２２】
さらに、シンク機器がソース機器と全二重通信を行う場合、および半二重通信を行う場合、データの受信時において、復号部１３６は、ソース機器から送信されてきたＴｘデータに対応する差動信号を受信し、受信した差動信号を元のデータであるＴｘデータに復号して、制御部（ＣＰＵ）に出力する。
【０３２３】
また、ステップＳ１９８において、半二重通信を行わないと判定された場合、すなわち、たとえばチャネル情報が送信されてこなかった場合、ステップＳ２０１において、シンク機器は、ＣＥＣ信号の送受信を行うことでソース機器との双方向の通信を行い、通信処理は終了する。
【０３２４】
このようにして、シンク機器は、受信したチャネル情報に応じて、すなわち通信相手であるソース機器の有する機能に応じて全二重通信または半二重通信を行う。
【０３２５】
このように、通信相手であるソース機器の有する機能に応じて、スイッチ１３５、スイッチ１８５、およびスイッチ１８６を切り換えて送信するデータ、および受信するデータを選択し、全二重通信または半二重通信を行うことで、従来のＨＤＭＩ（Ｒ）との互換性を保ちつつ、より最適な通信方法を選択して、高速の双方向通信を行うことができる。
【０３２６】
また、互いに差動ツイストペア結線されてシールドされ、グランド線に接地されたＣＥＣライン８４およびリザーブライン８８と、互いに差動ツイストペア結線されてシールドされ、グランド線に接地されたＳＤＡライン１９１およびＳＣＬライン１９２とが含まれているＨＤＭＩケーブル１により、ソース機器とシンク機器とを接続することで、従来のＨＤＭＩケーブルとの互換性を保ちつつ、半二重通信方式または全二重通信方式による高速の双方向のＩＰ通信を行うことができる。
【０３２７】
次に、上述した一連の処理は、専用のハードウェアにより行うこともできるし、ソフトウェアにより行うこともできる。一連の処理をソフトウェアによって行う場合には、そのソフトウェアを構成するプログラムが、たとえば、ソース機器、シンク機器を制御するマイクロコンピュータ等にインストールされる。
【０３２８】
そこで、図２４は、上述した一連の処理を実行するプログラムがインストールされるコンピュータの一実施の形態の構成例を示している。
【０３２９】
プログラムは、コンピュータに内蔵されている記録媒体としてのＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−ｏｎｌｙ  Ｍｅｍｏｒｙ）３０５やＲＯＭ３０３に予め記録しておくことができる。
【０３３０】
あるいはまた、プログラムは、フレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ）、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０３３１】
なお、プログラムは、上述したようなリムーバブル記録媒体からコンピュータにインストールする他、ダウンロードサイトから、デジタル衛星放送用の人工衛星を介して、コンピュータに無線で転送し、あるいはＬＡＮ、インターネットといったネットワークを介して、コンピュータに有線で転送し、コンピュータでは、そのようにして転送されてくるプログラムを、入出力インタフェース３０６で受信し、内蔵するＥＥＰＲＯＭ３０５にインストールすることができる。
【０３３２】
コンピュータは、ＣＰＵ（Ｃｅｎｔｒａｌ  Ｐｒｏｃｅｓｓｉｎｇ  Ｕｎｉｔ）３０２を内蔵している。ＣＰＵ３０２には、バス３０１を介して、入出力インタフェース３０６が接続されており、ＣＰＵ３０２は、ＲＯＭ（Ｒｅａｄ  Ｏｎｌｙ  Ｍｅｍｏｒｙ）３０３やＥＥＰＲＯＭ３０５に格納されているプログラムを、ＲＡＭ（Ｒａｎｄｏｍ  Ａｃｃｅｓｓ  Ｍｅｍｏｒｙ）３０４にロードして実行する。これにより、ＣＰＵ３０２は、上述したフローチャートにしたがった処理、あるいは上述したブロック図の構成により行われる処理を行う。
【０３３３】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（たとえば、並列処理あるいはオブジェクトによる処理）も含むものである。また、プログラムは、１のコンピュータにより処理されるものであっても良いし、複数のコンピュータによって分散処理されるものであっても良い。
【０３３４】
上述した図８に示す構成例は、ＤＤＣに関して規定された電気的仕様と無関係にＬＡＮ通信のための回路を形成できるものであったが、図２５は、同様の効果を持つ他の構成例を示している。
【０３３５】
この例は、１本のケーブルで映像と音声のデータ伝送と接続機器情報の交換および認証と機器制御データの通信とＬＡＮ通信を行うインタフェースにおいて、ＬＡＮ通信が２対の差動伝送路を介する単方向通信で行われ、伝送路のうちの少なくともひとつのＤＣバイアス電位によってインタフェースの接続状態が通知される構成を有し、さらに、少なくとも二つの伝送路がＬＡＮ通信とは時分割で接続機器情報の交換と認証の通信に使われることを特徴とする。
【０３３６】
ソース機器は、ＬＡＮ信号送信回路６１１、終端抵抗６１２，６１３、ＡＣ結合容量６１４〜６１７、ＬＡＮ信号受信回路６１８、インバータ６２０、抵抗６２１、ローパルスフィルタを形成する抵抗６２２および容量６２３、比較器６２４、プルダウン抵抗６３１、ローパスフィルタを形成する抵抗６３２および容量６３３、比較器６３４、ＮＯＲゲート６４０、アナログスイッチ６４１〜６４４、インバータ６４５、アナログスイッチ６４６，７４７、ＤＤＣトランシーバ６５１，６５２、並びにプルアップ抵抗６５３，６５４を有している。
【０３３７】
また、シンク機器６０２は、ＬＡＮ信号送信回路６６１、終端抵抗６６２，６６３、ＡＣ結合容量６６４〜６６７、ＬＡＮ信号受信回路６６８、プルダウン抵抗６７１、ローパルスフィルタを形成する抵抗６７２および容量６７３、比較器６７４、チョークコイル６８１、電源電位と基準電位間に直列接続された抵抗６８２および６８３、アナログスイッチ６９１〜６９４、インバータ６９５、アナログスイッチ６９６，６９７、ＤＤＣトランシーバ７０１，７０２、並びにプルアップ抵抗７０３，７０４を有している。
【０３３８】
ＨＤＭＩケーブル１の中には、リザーブライン８０１とＳＣＬライン８０３からなる差動伝送路とＳＤＡライン８０４とＨＰＤライン８０２からなる差動伝送路があり、それらのソース側端子８１１と〜８１４、並びにシンク側端子８２１〜８２４が形成されている。
【０３３９】
リザーブライン８０１とＳＣＬライン８０３、並びにＳＤＡライン８０４とＨＰＤライン８０２は、差動ツイストペアとして結線されている。
【０３４０】
ソース機器内で、端子８１１、８１３は、ＡＣ結合容量６１４、６０５およびアナログスイッチ６４１、６４２を介してＬＡＮ送信信号ＳＧ６１１をシンクに送信する送信回路６１１および終端抵抗６１２に接続されている。端子８１４，８１２は、ＡＣ結合容量６１６，６１７とアナログスイッチ６４３、６４４を介してシンク機器からのＬＡＮ信号を受信する受信回路６１８および終端抵抗６１３に接続されている。
【０３４１】
シンク機器内で、端子８２１〜８２４はＡＣ結合容量６６４，６６５，６６６，６６７とアナログスイッチ６９１〜６９４を介して送信回路６６１および受信回路６６８と、終端抵抗６６２，６６３に接続されている。アナログスイッチ６４１〜６４４、６９１〜６９４はＬＡＮ通信を行うときに導通し、ＤＤＣ通信を行うときは開放となる。
【０３４２】
ソース機器は、端子８１３と端子８１４を、別のアナログスイッチ６４６、６４７を介してＤＤＣトランシーバ６５１、６５２およびプルアップ抵抗６５３、６５４に接続する。
【０３４３】
シンク機器は、端子８２３と端子８２４を、アナログスイッチ６９６、６９７を介してＤＤＣトランシーバ７０１、７０２およびプルアップ抵抗７０３に接続する。アナログスイッチ６４６、６４７はＤＤＣ通信を行うときに導通し、ＬＡＮ通信を行うときは開放にする。
【０３４４】
リザーブライン８０１の電位によるｅ−ＨＤＭＩ対応機器の認識機構は、ソース機器６０１の抵抗６２がインバータ６２０に駆動されていること以外は、基本的に、図８に示す例と同様である。
【０３４５】
インバータ６２０の入力がＨＩＧＨのとき抵抗６２１はプルダウン抵抗となるのでシンク機器からみるとｅ−ＨＤＭＩ非対応機器がつながれたのと同じ０Ｖ状態になる。この結果、シンク機器のｅ−ＨＤＭＩ対応識別結果を示す信号ＳＧ６２３はＬＯＷとなり、信号ＳＧ６２３で制御されるアナログスイッチ６９１〜６９４は開放され、信号ＳＧ６２３をインバータ６９５で反転した信号で制御されるアナログスイッチ６９６、６９７は導通する。この結果、シンク機器６０２はＳＣＬライン８０３とＳＤＡライン８０４をＬＡＮ送受信機から切り離し、ＤＤＣ送受信機に接続した状態になる。
【０３４６】
一方、ソース機器ではインバータ６２０の入力がＮＯＲゲート６４０にも入力されてその出力ＳＧ６１４はＬＯＷとされる。ＮＯＲゲート６４０の出力信号ＳＧ６１４に制御されたアナログスイッチ６４１〜６４４は開放され、信号ＳＧ６１４をインバータ６４５で反転した信号で制御されるアナログスイッチ６４６、６４７は導通する。この結果、ソース機器６０１もＳＣＬライン８０３とＳＤＡライン８０４をＬＡＮ送受信機から切り離し、ＤＤＣ送受信機に接続した状態になる。
【０３４７】
逆に、インバータ６２０の入力がＬＯＷのときは、ソース機器もシンク機器もともにＳＣＬライン８０３とＳＤＡライン８０４をＤＤＣ送受信機から切り離し、ＬＡＮ送受信機に接続した状態になる。
【０３４８】
ＨＰＤライン８０２のＤＣバイアス電位による接続確認のための回路６３１〜６３４、６８１〜６８３は、図８に示す例と同様の機能を有する。すなわち、ＨＰＤライン８０２は、上述のＬＡＮ通信の他にＤＣバイアスレベルでケーブル１がシンク機器に接続されたことをソース機器に伝達する。シンク機器内の抵抗６８２、６８３とチョークコイル６８１はケーブル１がシンク機器に接続されるとＨＰＤライン８０２を、端子８２２を介して約４Ｖにバイアスする。
【０３４９】
ソース機器はＨＰＤライン８０２のＤＣバイアスを抵抗６３２と容量６３３からなるローパスフィルタで抽出し、比較器６３４で基準電位Ｖｒｅｆ２（たとえば１．４Ｖ）と比較する。ケーブル１がシンク機器に接続されていなければ端子８１２の電位はプルダウン抵抗６３１で基準電位Ｖｒｅｆ２より低く、接続されていれば高い。したがって、比較器６３４の出力信号ＳＧ６１３がＨＩＧＨならばケーブル１とシンク機器が接続されていることを示す。一方、比較器６３４の出力信号ＳＧ６１３がＬＯＷならばケーブル１とシンク機器が接続されていないことを示す。
【０３５０】
このように、図２５に示す構成例によれば、１本のケーブルで映像と音声のデータ伝送と接続機器情報の交換および認証と機器制御データの通信とＬＡＮ通信を行うインタフェースにおいて、ＬＡＮ通信が２対の差動伝送路を介する単方向通信でおこなわれ、伝送路のうちの少なくともひとつのＤＣバイアス電位によってインタフェースの接続状態が通知される構成を有し、さらに、少なくとも二つの伝送路がＬＡＮ通信とは時分割で接続機器情報の交換と認証の通信に使われることから、ＳＣＬライン、ＳＤＡラインをスイッチでＬＡＮ通信回路に接続する時間帯とＤＤＣ回路に接続する時間帯に分ける時分割を行うことができ、この分割によりＤＤＣに関して規定された電気的仕様と無関係にＬＡＮ通信のための回路を形成することができ、安定で確実なＬＡＮ通信が安価に実現できる。
【０３５１】
なお、ＳＤＡとＳＣＬはＨが１．５ＫΩプルアップでＬがローインピーダンスのプルダウンであり、ＣＥＣもＨが２７ＫΩプルアップでＬがローインピーダンスのプルダウンの通信を行なうものである。既存ＨＤＭＩとのコンパチビリティを持つためにそれらの機能を保持することは、伝送線路の終端を整合終端する必要がある高速データ通信を行なうＬＡＮの機能を共有することは困難となるおそれがある。
【０３５２】
図８、図２５の構成例は、このような問題を回避できる。すなわち、図８の構成例では、ＳＤＡ、ＳＣＬ、ＣＥＣラインを使うのを避けてリザーブラインとＨＰＤラインを差動のペアとして１対双方向通信による全二重通信を行うように構成した。また、図２５の構成例では、ＨＰＤラインおよびＳＤＡラインと、ＳＣＬラインおよびリザーブラインとで２対の差動ペアをつくり各々で単方向通信を行なう２対全二重通信を行うように構成した。
【０３５３】
図２６（Ａ）〜（Ｅ）は、図８、あるいは図２５の構成例における双方向通信波形を示している。
【０３５４】
図２６（Ａ）はソース機器から送った信号波形を、図２６（Ｂ）はシンク機器が受けた信号波形を、図２６（Ｃ）はケーブルを通る信号波形を、図２６（Ｄ）はソース機器が受けた信号を、図２６（Ｅ）はソース機器から送った信号波形を、それぞれ示している。この図２６からも明らかなように、図８、あるいは図２５の構成例によれば、良好な双方向通信を実現可能である。
【０３５５】
なお、上述実施の形態においては、パーソナルコンピュータ（ソース機器）とテレビ受信機（シンク機器）とを接続する伝送路として、ＨＤＭＩ規格のインタフェースを前提として説明したが、その他の同様な伝送規格にも適用可能である。また、ソース機器としてパーソナルコンピュータ１０を使用し、シンク機器としてテレビ受信機３０を使用した例としたが、その他の送信装置、表示装置を使用して構成されるＡＶシステムにも、この発明を同様に適用できる。
【０３５６】
また、上述実施の形態では、ソース機器とシンク機器との間で、双方向のＩＰ通信を行うようにしたが、双方向の通信は、ＩＰ以外のプロトコルで行うことが可能である。また、上述実施の形態においては、電子機器間をＨＤＭＩケーブルで接続したものを示したが、この発明は、電子機器間の接続を無線で行うものにも、同様に適用できる。
【産業上の利用可能性】
【０３５７】
この発明は、各機器の接続を簡単にして小型化および低価格化を図るようにしたものであり、例えば、テレビ受信機とパーソナルコンピュータがＨＤＭＩケーブルで接続されてなるＡＶシステム等に適用できる。
【図面の簡単な説明】
【０３５８】
【図１】この発明の実施の形態としてのＡＶシステムの構成例を示すブロック図である。
【図２】ＡＶシステムを構成するパーソナルコンピュータ（ソース機器）の構成例を示すブロック図である。
【図３】ＡＶシステムを構成するテレビ受信機（シンク機器）の構成例を示すブロック図である。
【図４】ＨＤＭＩ送信部（ＨＤＭＩソース）とＨＤＭＩ受信部（ＨＤＭＩシンク）の構成例を示すブロック図である。
【図５】ＨＤＭＩトランスミッタとＨＤＭＩレシーバの構成例を示すブロック図である。
【図６】ＴＭＤＳ伝送データの構造を示す図である。
【図７】ＨＤＭＩ端子のピン配列（タイプＡ）を示す図である。
【図８】パーソナルコンピュータおよびテレビ受信機の高速データラインインタフェースの構成例を示す接続図である。
【図９】テレビ受信機の表示画面例（Ｗｅｂページ）を示す図である。
【図１０】テレビ受信機からパーソナルコンピュータに画面位置の座標情報を送る動作シーケンスの一例を示す図である。
【図１１】テレビ受信機からパーソナルコンピュータにリモートコントロール信号（リモコンコード）を送る動作シーケンスの一例を示す図である。
【図１２】テレビ受信機からパーソナルコンピュータに撮像映像信号を送る動作シーケンスの一例を示す図である。
【図１３】パーソナルコンピュータおよびテレビ受信機の高速データラインインタフェースの他の構成例を示す接続図である。
【図１４】パーソナルコンピュータおよびテレビ受信機の高速データラインインタフェースのさらに他の構成例を示す接続図である。
【図１５】ソース機器が受信するＥ−ＥＤＩＤの構造を示す図である。
【図１６】Ｅ−ＥＤＩＤ  Vendor Specific Data Block構造を示す図である。
【図１７】ソース機器による通信処理を説明するためのフローチャートである。
【図１８】シンク機器による通信処理を説明するためのフローチャートである。
【図１９】ソース機器による通信処理を説明するためのフローチャートである。
【図２０】シンク機器による通信処理を説明するためのフローチャートである。
【図２１】パーソナルコンピュータおよびテレビ受信機の高速データラインインタフェースの他の構成例を示す接続図である。
【図２２】ソース機器による通信処理を説明するためのフローチャートである。
【図２３】シンク機器による通信処理を説明するためのフローチャートである。
【図２４】この発明を適用したコンピュータの構成例を示すブロック図である。
【図２５】パーソナルコンピュータおよびテレビ受信機の高速データラインインタフェースのさらに他の構成例を示す接続図である。
【図２６】双方向通信波形を示す図である。
【符号の説明】
【０３５９】
１・・・ＨＤＭＩケーブル、５・・・ＡＶシステム、１０・・・パーソナルコンピュータ、１１・・・ＨＤＭＩ端子、１２・・・ＨＤＭＩ送信部、１２Ａ・・・高速データラインインタフェース、１３・・・ＣＰＵ、１４・・・ＲＯＭ、１４ａ・・・テーブル、２２・・・イーサネットインタフェース、３０・・・テレビ受信機、３１・・・ＨＤＭＩ端子、３２・・・ＨＤＭＩ受信部、３２Ａ・・・高速データラインインタフェース、４２・・・表示パネル、５１・・・ＣＰＵ、５４・・・イーサネットインタフェース、５７・・・リモコン送信機、５８・・・リモコン受信部、５９・・・カメラ、６０・・・座標検出部、２１０・・・ネットワーク、２２・・・端末装置
【図１】
0004479776.tif 000002
【図２】
0004479776.tif 000003
【図３】
0004479776.tif 000004
【図４】
0004479776.tif 000005
【図５】
0004479776.tif 000006
【図６】
0004479776.tif 000007
【図７】
0004479776.tif 000008
【図８】
0004479776.tif 000009
【図９】
0004479776.tif 000010
【図１０】
0004479776.tif 000011
【図１１】
0004479776.tif 000012
【図１２】
0004479776.tif 000013
【図１３】
0004479776.tif 000014
【図１４】
0004479776.tif 000015
【図１５】
0004479776.tif 000016
【図１６】
0004479776.tif 000017
【図１７】
0004479776.tif 000018
【図１８】
0004479776.tif 000019
【図１９】
0004479776.tif 000020
【図２０】
0004479776.tif 000021
【図２１】
0004479776.tif 000022
【図２２】
0004479776.tif 000023
【図２３】
0004479776.tif 000024
【図２４】
0004479776.tif 000025
【図２５】
0004479776.tif 000026
【図２６】
0004479776.tif 000027